(57)【特許請求の範囲】
【請求項１】
ビデオデータとオーディオデータを含む複数の素材が所定の切り換え点で順次切り換えられながら上記ビデオデータのリファレンスタイミングと共に供給されるオーディオデータを所定のオーディオフレームに分割して符号化処理する符号化処理手段を有するデータ処理装置において、
上記切り換え点前の第１の素材における上記リファレンスタイミングと上記オーディオフレームの開始点との位相差を保持し、上記切り換え点後の第２の素材における上記オーディオフレーム毎の符号化処理の開始点を、上記位相差に基づいて作成する符号化開始点作成手段を有するものであって、
上記符号化開始点作成手段は、上記オーディオフレームの長さを計数し、かつ、その計数値が上記オーディオフレームの長さとなった段階で符号化開始点として出力する処理単位長計数手段と、上記第１の素材における上記所定のリファレンスタイミングに基づいて上記処理単位長計数手段での計数値を位相差として保持する位相差保持手段と、上記第2の素材における上記リファレンスタイミングのうち、上記所定のリファレンスタイミングの入力時に、上記位相差保持手段にて保持されている上記位相差を上記処理単位長計数手段に供給して、該位相差から計数を開始させる位相差供給手段とを有し、
上記位相差供給手段は、上記第2の素材における上記リファレンスタイミングと上記所定のリファレンスタイミングを比較し、互いのリファレンスタイミングが一致した段階で、上記処理単位長計数手段に位相差取込み信号を出力する取込み信号出力手段を有し、上記処理単位長計数手段は、上記取込み信号出力手段からの上記位相差取込み信号の入力に基づいて、現在の計数値を上記位相差保持手段にて保持されている位相差に切り換えて該位相差から計数を開始することを特徴とするデータ処理装置。
【請求項２】
上記位相差供給手段における取込み信号出力手段は、上記第２の素材におけるオーディオデータに関するリファレンスタイミングを計数し、その計数値が所定の計数値となった段階で上記処理単位長計数手段に位相差取込み信号を出力することを特徴とする請求項１記載のデータ処理装置。
【請求項３】
上記位相差保持手段は、上記ビデオデータとオーディオデータを含む素材からのオーディオデータに関するリファレンスタイミングを計数し、その計数値が所定の計数値となった段階で上記処理単位長計数手段に保持要求信号を出力するリファレンス計数手段を有し、上記処理単位長計数手段は、上記リファレンス計数手段からの保持要求信号の入力に基づいて、現在の計数値を上記位相差保持手段に出力することを特徴とする請求項１記載のデータ処理装置。
【請求項４】
ビデオデータとオーディオデータを含む複数の素材が所定の切り換え点で順次切り換えられながら上記ビデオデータのリファレンスタイミングと共に供給されるオーディオデータを所定のオーディオフレームに分割して符号化処理するデータ処理方法において、
上記切り換え点前の第１の素材における上記リファレンスタイミングと上記オーディオフレームの開始点との位相差を保持し、上記切り換え点後第２の素材における上記オーディオフレーム毎の符号化処理の開始点を、上記位相差に基づいて作成するものであって、
上記オーディオフレームの長さを計数し、かつ、その計数値が上記オーディオフレームの長さとなった段階で符号化開始点として出力する処理単位長計数ステップの動作中において、上記第１素材の切換え点の前の段階における上記所定のリファレンスタイミングにおける計数値を位相差として保持し、
上記切り換え点後の第2の素材における上記リファレンスタイミングのうち、上記所定のリファレンスタイミングの入力時に、上記位相差から計数を開始させ、
上記処理単位長計数ステップは、上記第2素材における上記リファレンスタイミングと上記所定のリファレンスタイミングを比較し、互いのリファレンスタイミングが一致した段階で、現在の計数値を上記位相差に切り換えて該位相差から計数を開始することを特徴とするデータ処理方法。
【請求項５】
上記第２の素材におけるオーディオデータに関するリファレンスタイミングを計数し、その計数値が所定の計数値となった段階で、上記位相差から計数を開始させることを特徴とする請求項４記載のデータ処理方法。
【請求項６】
上記素材からの情報データに関するリファレンスタイミングを計数し、その計数値が所定の計数値となった段階で、処理単位長計数ステップにおける現在の計数値を上記位相差として保持することを特徴とする請求項４記載のデータ処理方法。
【請求項７】
上記処理単位長計数ステップは、上記オーディオフレームの長さを計数し、かつ、その計数値が上記オーディオフレームの長さとなった段階で符号化開始点として出力する第１の計数ステップと、
上記切換え後の第2の素材からのオーディオデータに関するリファレンスタイミングのうち、上記所定のリファレンスタイミングの入力時に、上記位相差から計数を開始してその計数値が上記オーディオフレームの長さとなった段階で開始点作成基準信号を出力すると同時に上記第１の計数ステップでの計数値をリセットする第２の計数ステップと、
上記切換え後の第2の素材からのオーディオデータに関するリファレンスタイミングのうち、上記所定のリファレンスタイミングの入力時から第２の計数ステップからの開始点作成基準信号の出力時までに出力される上記開始点作成基準信号の出力を禁止する禁止ステップとを有し、
上記禁止ステッップを通じて出力される上記開始点作成基準信号の出力タイミングを上記符号化処理の開始点とすることを特徴とする請求項４記載のデータ処理方法。
【請求項８】
ビデオデータとオーディオデータを含む複数の素材が所定の切り換え点で順次切り換えられながら上記ビデオデータのリファレンスタイミングと共に入力される基準オーディオデータに別のオーディオデータを挿入してなるデジタルデータを所定のオーディオフレームに分割して符号化する符号化処理手段と、該符号化処理手段からの符号化データを記録媒体に記録するデータ記録手段を有するデータ記録装置において、
上記リファレンスタイミングに同期し、かつ上記基準オーディオデータに対する上記別のオーディオデータの挿入開始を示す挿入開始点より前の段階における所定のリファレンスタイミングと上記オーディオフレームの開始点との位相差を保持し、上記別のオーディオデータのオーディオフレーム毎の符号化処理の開始点を上記位相差に基づいて作成する符号化開始点作成手段と、符号化処理手段に入力されるデータを上記挿入開始点後の上記符号化開始点において上記基準オーディオデータから上記別のオーディオデータに切り換えるデータ切換え手段を有するものであって、
上記符号化開始点作成手段は、上記オーディオフレームの長さを計数し、かつ、その計数値が上記オーディオフレームの長さとなった段階で符号化開始点として出力する処理単位長計数手段と、上記挿入開始点の前の段階における所定のリファレンスタイミングに基づいて上記処理単位長計数手段での計数値を位相差として保持する位相差保持手段と、入力される基準オーディオデータに関するリファレンスタイミングのうち、上記所定のリファレンスタイミングの入力時に、上記位相差保持手段にて保持されている上記位相差を上記処理単位長計数手段に供給して、該位相差から計数を開始させる位相差供給手段とを有し、
上記位相差供給手段は、入力される基準オーディオデータに関するリファレンスタイミングと上記所定のリファレンスタイミングを比較し、互いのリファレンスタイミングが一致した段階で、上記処理単位長計数手段に位相差取込み信号を出力する取込み信号出力手段を有し、上記処理単位長計数手段は、上記取込み信号出力手段からの位相差取込み信号の入力に基づいて、現在の計数値を上記位相差保持手段にて保持されている位相差に切り換えて該位相差から計数を開始することを特徴とするデータ記録装置。
【請求項９】
上記位相差保持手段は、入力される基準オーディオデータに関するリファレンスタイミングを計数し、その計数値が所定の計数値となった段階で上記処理単位長計数手段に保持要求信号を出力するリファレンス計数手段を有し、
上記処理単位長計数手段は、上記リファレンス計数手段からの保持要求信号の入力に基づいて、現在の計数値を上記位相差保持手段に出力することを特徴とする請求項８記載のデータ記録装置。
【請求項１０】
上記処理単位計数手段は、上記オーディオフレームの長さを計数し、かつ、その計数値が上記オーディオフレームの長さとなった段階で開始点作成基準信号を出力する第１の計数手段と、上記取込み信号出力手段からの取込み信号の入力に基づいて、上記位相差保持手段にて保持されている位相差から計数を開始してその計数値が上記オーディオフレームの長さとなった段階で開始点作成基準信号を出力すると同時に上記第１の計数手段における計数値をリセットする第２の計数手段と、上記取込み信号の出力時点から第２の計数手段からの開始点作成基準信号の出力時点までに出力される上記開始点作成基準信号の出力を禁止する禁止手段とを有し、上記禁止手段を通じて出力される上記開始点作成基準信号の出力タイミングを上記符号化処理の開始点とすることを特徴とする請求項８記載のデータ記録装置。
【請求項１１】
ビデオデータとオーディオデータを含む複数の素材が所定の切り換え点で順次切り換えられながら上記ビデオデータのリファレンスタイミングと共に入力される基準オーディオデータに別のオーディオデータを挿入してなるデジタルデータを所定のオーディオフレームに分割して符号化する符号化処理手段と、該符号化処理手段からの符号化データを記録媒体に記録するデータ記録方法において、
上記リファレンスタイミングに同期し、かつ上記基準オーディオデータに対する上記別のオーディオデータの挿入開始を示す挿入開始点より前の段階における所定のリファレンスタイミングと上記オーディオフレームの開始点との位相差を保持し、上記別のオーディオデータのオーディオフレーム毎の符号化処理の開始点を上記位相差に基づいて作成する符号化開始点作成ステップと、符号化処理手段に入力されるデータを上記挿入開始点後の上記符号化開始点において上記基準オーディオデータから上記別のオーディオデータに切り換えるデータ切換えステップを有するものであって、
上記オーディオフレームの長さを計数し、かつ、その計数値が上記オーディオフレームの長さとなった段階で符号化開始点として出力する処理単位長計数ステップの動作中において、上記挿入開始点の前の段階における所定のリファレンスタイミングにおける計数値を位相差として保持し、入力される基準オーディオデータに関するリファレンスタイミングのうち、上記所定のリファレンスタイミングの入力時に、上記位相差から計数を開始させ、
上記処理単位長計数ステップは、入力される基準オーディオデータに関するリファレンスタイミングと上記所定のリファレンスタイミングを比較し、互いのリファレンスタイミングが一致した段階で、現在の計数値を上記位相差に切り換えて該位相差から計数を開始することを特徴とするデータ記録方法。
【請求項１２】
入力される基準オーディオデータに関するリファレンスタイミングを計数し、その計数値が所定の計数値となった段階で、上記位相差から計数を開始させることを特徴とする請求項１１記載のデータ記録方法。
【請求項１３】
上記処理単位長計数ステップは、上記オーディオフレームの長さを計数し、かつ、その計数値が上記オーディオフレームの長さとなった段階で符号化開始点として出力する第１の計数ステップと、
入力される基準情報データに関するリファレンスタイミングのうち、上記所定のリファレンスタイミングの入力時に、上記位相差から計数を開始してその計数値が上記オーディオフレームの長さとなった段階で開始点作成基準信号を出力すると同時に上記第１の計数ステップでの計数値をリセットする第２の計数ステップと、
上記入力される基準オーディオデータに関するリファレンスタイミングのうち、上記所定のリファレンスタイミングの入力時から第２の計数ステップからの開始点作成基準信号の出力時までに出力される上記開始点作成基準信号の出力を禁止する禁止ステップとを有し、
上記禁止ステップを通じて出力される上記開始点作成基準信号の出力タイミングを上記符号化処理の開始点とすることを特徴とする請求項１１記載のデータ記録方法。
【請求項１４】
ビデオデータとオーディオデータを含む複数の素材が所定の切り換え点で順次切り換えられながら上記ビデオデータのビデオフレームと共に供給されるオーディオデータを、所定のオーディオフレームで符号化処理する符号化処理装置において、
上記切り換え点より前の第1の素材における上記ビデオフレームと上記オーディオフレームの開始点との位相差を保持する位相差保持手段と、
上記位相保持手段により保持された上記位相差を用いて上記第1の素材の符号化処理時に使用された上記位相差を再現させることによって、上記第1の素材における上記オーディオフレームと上記切り換え点より後の第２の素材における上記オーディオフレームとを連続させるように、上記第２の素材における上記オーディオデータを符号化処理する符号化手段と
を備えることを特徴とする符号化装置。
【請求項１５】
ビデオデータとオーディオデータを含む複数の素材が所定の切り換え点で順次切り換えられながら上記ビデオデータのビデオフレームと共に供給されるオーディオデータを、所定のオーディオフレームで符号化処理する符号化装置において、
上記切り換え点より前の第1の素材における上記ビデオフレームと上記オーディオフレームの開始点との位相差を保持する位相差保持手段と、
上記位相保持手段により保持された上記位相差を用いることにより、上記切り換え点より後の第２の素材において上記ビデオフレームとともに供給される上記オーディオフレームの出力タイミングを、上記位相保持手段により保持された上記位相差を用いて上記第1の素材の符号化処理時に使用された上記オーディオデータの出力タイミングと同期させて上記第２の素材における上記オーディオデータを符号化処理する符号化手段と
を備えることを特徴とする符号化装置。
【請求項１６】
ビデオデータとオーディオデータを含む複数の素材が所定の切り換え点で順次切り換えられながら上記ビデオデータのビデオフレームと共に供給されるオーディオデータを、所定のオーディオフレームで符号化処理する符号化方法において、
上記切り換え点より前の第1の素材における上記ビデオフレームと上記オーディオフレームの開始点との位相差を保持する位相差保持ステップと、
上記位相保持ステップにより保持された上記位相差を用いて上記第1の素材の符号化処理時に使用された上記位相差を再現させることによって、上記第1の素材における上記オーディオフレームと上記切り換え点より後の第２の素材における上記オーディオフレームとを連続させるように、上記第２の素材における上記オーディオデータを符号化処理する符号化ステップと
を備えることを特徴とする符号化方法。
【請求項１７】
ビデオデータとオーディオデータを含む複数の素材が所定の切り換え点で順次切り換えられながら上記ビデオデータのビデオフレームと共に供給されるオーディオデータを、所定のオーディオフレームで符号化処理する符号化方法において、
上記切り換え点より前の第1の素材における上記ビデオフレームと上記オーディオフレームの開始点との位相差を保持する位相差保持ステップと、
上記位相保持ステップにより保持された上記位相差を用いることにより、上記切り換え点より後の第２の素材において上記ビデオフレームとともに供給される上記オーディオフレームの出力タイミングを、上記位相保持ステップにより保持された上記位相差を用いて上記第1の素材の符号化処理時に使用された上記オーディオデータの出力タイミングと同期させて上記第２の素材における上記オーディオデータを符号化処理する符号化ステップと
を備えることを特徴とする符号化方法。
【請求項１８】
上記切り換え点は、上記複数の素材を編集することにより設けられたイン点またはアウト点であることを特徴とする請求項１４または１５に記載の符号化装置。
【請求項１９】
上記切り換え点は、上記複数の素材を編集することにより設けられたイン点またはアウト点であることを特徴とする請求項１４または１５に記載の符号化方法。
【発明の詳細な説明】
【０００１】
【発明の属する技術分野】
本発明は、複数の素材が順次切り換えられながらリファレンスタイミングと共に供給される情報データを所定の処理単位に分割して符号化処理するデータ処理装置及びデータ処理方法とに関し、例えばＤＶＤ（デジタル・ビデオ・ディスク）に記録すべきデータの編集に用いて好適なものである。
【０００２】
【従来の技術】
一般に、デジタルオーディオデータの圧縮技術においては、そのデータ量を削減するために、サブバンド符号化（Subband Coding：ＳＢＣ）方式や適応変換符号化（Adaptive Tranform Coding：ＡＴＣ）方式などが用いられている。このような符号化されたオーディオデータを記録媒体に記録するあるいは通信路に伝送するあるいは信号処理するデジタル機器は今後増えて行くと予想される。これらの符号化方式では、デジタルオーディオデータをブロック単位（オーディオフレーム単位）に符号化するようにしている。
【０００３】
上記サブバンド符号化方式は、入力オーディオ信号を複数の周波数帯域に分割し、各帯域電力の偏差を利用しつつ各帯域において独立に符号化を行なう。即ち、サブバンドに分割することによって、各サブバンド内での信号エネルギーの偏差を減少させてダイナミックレンジを削減し、各サブバンドの信号エネルギーに応じたビットを割り当てる。
【０００４】
帯域分割は、複数の直交鏡像フィルタ（ＱＭＦ）を用いて、帯域の２分割を繰り返す木構造によって達成できる。分割された低域と高域の信号サンプルは、それぞれ１／２に間引かれて、サンプリング周波数は１／２になる。
【０００５】
一方、変換符号化方式は、入力オーディオ信号に線形変換を施して電力集中性を高めてから量子化を行なうことで符号化効率を改善する。特に適応ビット割り当てを行なう方式を適応変換符号化方式と称している。上記線形変換としては、例えばフーリエ変換、コサイン変換などが用いられる。
【０００６】
サブバンド符号化方式も適応変換符号化方式も、心理聴覚特性を用いて、より人間に知覚されやすい帯域の信号劣化を最小化するように、ある種の重み付けを行なって量子化することにより、更に総合符号化品質を高めることができる。
【０００７】
心理聴覚重み付け（Psycho-acoustic Weighting ）は、絶対可聴しきい値（Absolute Threshold）と、マスキング効果で定まる相対可聴しきい値を用いて、補正可聴しきい値（Temporal Threshold）を逐次求めるものである。ビット割り当ては、この補正可聴しきい値に基づいて行なわれる。
【０００８】
ここで、オーディオデータの符号化方式のアルゴリズムを代表的にＭＰＥＧ／Ａｕｄｉｏのアルゴリズムに基づいて説明する。
【０００９】
まず、例えば１６ビット直線量子化されたＰＣＭ方式の入力オーディオデータは、時間領域から３２の周波数帯域に写像される。一方、量子化におけるビット割り当てを行なうために、心理聴覚に基づいた量子化誤差のマスキングレベルが計算される。
【００１０】
上記のようにして得られた写像信号は、心理聴覚モデルに基づいたビット割り当てに従って量子化され符号化された後、アンシラリデータを合わせてフレームに組み込まれる。
【００１１】
復号は、まず、アシンラリデータを分離してフレームを分解する。続いて、サイド情報として送られたビット割り当てに基づいて復号、逆量子化が行なわれる。逆量子化信号を逆写像することで、時間領域信号が復元される。
【００１２】
上記ＭＰＥＧ／Ａｕｄｉｏにおいては、実際には、レイヤＩ，レイヤII及びレイヤIII の３種類のアルゴリズムが規定されている。この場合、レイヤＩからレイヤIII の順でアルゴリズムが複雑になるが、同時に音質も向上する。音質は使用するビットレートにも依存する。レイヤＩからレイヤIII に対して３２ｋｂ／ｓから、それぞれ４４８ｋｂ／ｓ，３８４ｋｂ／ｓ，３２０ｋｂ／ｓまでの１４種類のビットレートが規定されているが、各レイヤが主対象とするビットレート（ターゲットビットレート）が限定されている。
【００１３】
そして、例えばレイアIIのアルゴリズを用いた場合、図１０に示すように、オーディオデータは、オーディオフレームパルスによってオーディオフレーム単位（レイヤIIでは１１５２サンプル）で処理されて、符号化されたオーディオデータ、即ちビットストリームに変換される。
【００１４】
ところで、最近のデジタル信号処理技術の開発においては、例えば１本の映画を１枚の光ディスク（直径１２０ｍｍ）に収録したディスク・ビデオ・ディスクの開発が行なわれている。このＤＶＤにおいては、符号化されたビデオデータと符号化されたオーディオデータ並びに符号化された字幕等の付属情報を多重化して１枚の光ディスクに記録するものである。
【００１５】
図１１にビデオデータとオーディオデータを同時に符号化処理するエンコーダを用いたＤＶＤの編集システム（オーサリングシステム）の構成例を示す。このオーサリングシステムは、デジタルＶＴＲ１０１とエンコーダ１０２とコンピュータ１０３を有して構成されている。
【００１６】
上記デジタルＶＴＲ１０１は、デジタル方式で記録されたビデオテープからデジタルビデオデータを再生するビデオ再生部１０１Ａとデジタル方式で記録されたオーディオテープＴＰからデジタルオーディオデータを再生するオーディオ再生部１０１Ｂを有する。
【００１７】
上記エンコーダ１０２は、コンピュータ１０３による制御によって上記デジタルＶＴＲ１０１からのビデオデータＤｖ及びオーディオデータＤａをそれぞれ符号化し、更にこれら符号化されたビデオデータ及び符号化されたオーディオデータを多重化して一連のビットストリームとして出力する。
【００１８】
上記ビデオデータＤｖ及びオーディオデータＤａの各符号化は、コンピュータ１０３の主記憶装置にストアされたビデオ符号化プログラム及びオーディオ符号化プログラムにそれぞれ記述された各アルゴリズムに従って行なわれ、符号化されたビデオデータと符号化されたオーディオデータの多重化は、同じくコンピュータ１０３の主記憶装置にストアされた多重化プログラムに記述されたアルゴリズムに従って行なわれる。
【００１９】
即ち、上記オーサリングシステムにおいては、デジタルＶＴＲ１０１等からの再生データ、上記の例ではビデオデータＤｖ及びオーディオデータＤａを符号化処理し、ビデオデータＤｖとオーディオデータＤａとをそれぞれ所定のデータレートに変換する。その後、両者を決められたフォーマットに並びかえて、光ディスクなどの記録媒体に記録する。
【００２０】
【発明が解決しようとする課題】
ところで、上記のようなオーサリングシステムにおいてオーディオデータＤａを符号化（エンコード）する場合、デジタルＶＴＲ１０１に装着されるデジタルオーディオテープＴＰが１本の場合には、先頭から連続して処理するだけで、エンコードされるオーディオフレームは最終まで連続したものとなる。
【００２１】
しかし、デジタルＶＴＲ１０１に装着されるデジタルオーディオテープＴＰが複数本の場合には、デジタルＶＴＲ１０１のオーディオ再生部１０１ＢにテープＴＰを入れ換えたときに、前のテープＴＰから再生されたオーディオデータＤａのオーディオフレームと最後のリファレンスタイミング（ビデオフレーム）との位相差（オフセット）が再現できないため、前のテープＴＰについてのオーディオフレームとテープＴＰを入れ換えた際に再生されるオーディオデータのオーディオフレームとが不連続になるという問題が生じる。
【００２２】
つまり、オーディオデータＤａに対するエンコード処理においては、既に述べたように、複数個のオーディオ・サンプルを１つの処理単位（オーディオ・フレーム）として演算を行なう。この処理に用いられるオーディオ・サンプル数は符号化演算に都合のよい値がとられるため、そのフレーム周期は、ビデオデータＤｖに対する符号化の処理単位（ビデオ・フレーム）のフレーム周期とは無関係な周期となる。
【００２３】
従って、非同期のまま符号化処理を行なうと、同一のタイムコード値をもつオーディオ・サンプルは、符号化処理毎に違ったオーディオ・フレームに含まれることになる（再現性の欠如）。
【００２４】
具体的に図１２に基づいて説明すると、いま、ビデオフレームのｔ１時におけるフレームパルスから第１のテープを再生した際のオーディオの（Ｎ−１）フレームまでに時間τ１の位相差（オフセット）があり、ビデオフレームのｔ２時におけるフレームパルスからオーディオの（Ｎ）フレームまでに時間τ２のオフセットがあり、上記ｔ２時からオーディオの（Ｎ＋１）フレームまでに時間τ３のオフセットがある場合において、オーディオの（Ｎ）フレームへのエンコーダが終了した段階で、デジタルＶＴＲ１０１に第２のテープを入れ換えて再生した場合を考える。
【００２５】
この場合、第２のテープの再生においては、第１のテープを再生した際のフレーム周期と異なったフレーム周期になることが一般的である。また、第２のテープには、いわゆる「のりしろ」として、目標とする（Ｎ＋１）フレームよりも手前のフレーム、例えば（Ｎ−２）フレームについてのオーディオデータが記録されていることが普通である。
【００２６】
従って、エンコーダの符号化処理系への送出においては、「のりしろ」部分をスキップして目標の（Ｎ＋１）フレームから行なわれることになる。このとき、上述したように、第１のテープについてのフレーム周期の現出タイミングと第２のテープについてのフレーム周期の現出タイミングが異なるため、そのまま第２のテープについてのフレーム周期に従って、（Ｎ＋１）フレームを取り出した場合、第１のテープから取り出した（Ｎ）フレームとこの第２のテープから取り出した（Ｎ＋１）フレームとの間に不要なオーディオサンプルが付加されることとなり、（Ｎ）フレームと（Ｎ＋１）フレーム間の連続性を損なわせるという問題が生じる。
【００２７】
そして、オーディオフレームが不連続な状態でエンコード処理が行なわれた場合、ＤＶＤを再生処理するＤＶＤプレーヤのデコーダで正しく復号処理ができなくなり、オーサリングシステムとしては問題となる。
【００２８】
そこで、異なるテープ間でのオーディオフレームに連続性をもたせるためには、予め複数にわたるオーディオデータを一括して取り込んで、すべてのオーディオフレームが連続するように編集するという方法や区切りが揃わず前後の音の重複や抜けがが生じても支障のない無音部でオーディオデータを分割するという方法が考えられる。
【００２９】
しかし、上記方法においては、前者の場合、大容量のメモリを使用しなければならないという不都合があり、また、後者の方法は、無音部が定期的に現出するという保証はなく実用的でない。
【００３０】
本発明は、上記の課題に鑑みてなされたもので、その目的とするところは、複数の素材が順次切り換えられながらリファレンスタイミングと共に供給される情報データを所定の処理単位に分割して符号化処理する場合において、素材の切換え点において符号化のための処理単位の連続性を保つことができ、素材の分割を無音部等に拘らず任意の場所で行なうようにすることができるデータ処理装置及びデータ処理方法を提供することにある。
【００３１】
また、本発明の他の目的は、リファレンスタイミングと共に入力される基準情報データに別の情報データを挿入してなるデジタルデータを所定の処理単位に分割して符号化し、その符号化データを記録媒体に記録する場合において、別の情報データの挿入点において符号化のための処理単位の連続性を保つことができ、基準情報データの符号化データと別の情報データの符号化データとを上記挿入点で連続的につなげて記録媒体に記録することできるデータ記録装置及びデータ記録方法を提供することにある。
【００３２】
【課題を解決するための手段】
本発明のデータ処理装置（又はデータ処理方法）は、ビデオデータとオーディオデータを含む複数の素材が所定の切り換え点で順次切り換えられながら上記ビデオデータのリファレンスタイミングと共に供給されるオーディオデータを所定のオーディオフレームに分割して符号化処理する符号化処理手段を有するデータ処理装置において、上記切り換え点前の第１の素材における上記リファレンスタイミングと上記オーディオフレームの開始点との位相差を保持し、上記切り換え点後の第２の素材における上記オーディオフレーム毎の符号化処理の開始点を、上記位相差に基づいて作成する符号化開始点作成手段を有するものであって、上記符号化開始点作成手段は、上記オーディオフレームの長さを計数し、かつ、その計数値が上記オーディオフレームの長さとなった段階で符号化開始点として出力する処理単位長計数手段と、上記第１の素材における上記所定のリファレンスタイミングに基づいて上記処理単位長計数手段での計数値を位相差として保持する位相差保持手段と、上記第2の素材における上記リファレンスタイミングのうち、上記所定のリファレンスタイミングの入力時に、上記位相差保持手段にて保持されている上記位相差を上記処理単位長計数手段に供給して、該位相差から計数を開始させる位相差供給手段とを有し、上記位相差供給手段は、上記第2の素材における上記リファレンスタイミングと上記所定のリファレンスタイミングを比較し、互いのリファレンスタイミングが一致した段階で、上記処理単位長計数手段に位相差取込み信号を出力する取込み信号出力手段を有し、上記処理単位長計数手段は、上記取込み信号出力手段からの上記位相差取込み信号の入力に基づいて、現在の計数値を上記位相差保持手段にて保持されている位相差に切り換えて該位相差から計数を開始するものである。
【００３３】
これにより、例えば２つのそれぞれ別の素材から供給される情報データを処理単位毎に分割して符号化処理する場合について説明すると、１本目の素材から供給される情報データはそのまま処理単位毎に分割されて符号化処理されることになる。
【００３４】
次に、２本目の素材から供給される情報データを処理単位毎に分割する場合が問題となるが、この発明では、まず、素材の切換え点より前の段階における所定のリファレンスタイミングと上記処理単位の開始点との位相差が保持される。そして、切換え後の素材からの情報データに対する処理単位毎の符号化処理の開始点が上記位相差に基づいて作成されることになる。
【００３５】
即ち、切換え後の素材からの情報データに対する符号化処理において、１本目の上記所定のリファレンスタイミングと上記処理単位の開始点との位相差が再現されることになり、その結果、２本目の素材からの再生データに対する符号化処理において、上記所定のリファレンスタイミングの出力以後に現出する処理単位の出力タイミングは、１本目の素材からの再生データに対する符号化処理に使用された処理単位の出力タイミングに同期したものとなる。
【００３６】
このため、上記符号化処理において２本目の素材からの再生データのうち、切換え点から符号化を開始すれば、１本目の素材からの再生データに対する処理単位毎の符号化データの次に、連続的に２本目の素材からの再生データにおける処理単位毎の符号化データが続くことになり、１本目の素材からの再生データについての符号化データと２本目の素材からの再生データについての符号化データとの連続性を維持させることができる。
【００３７】
このように、本発明に係るデータ処理装置及びデータ処理方法においては、複数の素材が順次切り換えられながらリファレンスタイミングと共に供給される情報データを所定の処理単位に分割して符号化処理する場合において、素材の切換え点において符号化のための処理単位の連続性を保つことができ、素材の分割を無音部等に拘らず任意の場所で行なうようにすることができることとなる。
【００３８】
次に、本発明のデータ記録装置（又はデータ記録方法）においては、ビデオデータとオーディオデータを含む複数の素材が所定の切り換え点で順次切り換えられながら上記ビデオデータのリファレンスタイミングと共に入力される基準オーディオデータに別のオーディオデータを挿入してなるデジタルデータを所定のオーディオフレームに分割して符号化する符号化処理手段と、該符号化処理手段からの符号化データを記録媒体に記録するデータ記録手段を有するデータ記録装置において、上記リファレンスタイミングに同期し、かつ上記基準オーディオデータに対する上記別のオーディオデータの挿入開始を示す挿入開始点より前の段階における所定のリファレンスタイミングと上記オーディオフレームの開始点との位相差を保持し、上記別のオーディオデータのオーディオフレーム毎の符号化処理の開始点を上記位相差に基づいて作成する符号化開始点作成手段と、符号化処理手段に入力されるデータを上記挿入開始点後の上記符号化開始点において上記基準オーディオデータから上記別のオーディオデータに切り換えるデータ切換え手段を有するものであって、上記符号化開始点作成手段は、上記オーディオフレームの長さを計数し、かつ、その計数値が上記オーディオフレームの長さとなった段階で符号化開始点として出力する処理単位長計数手段と、上記挿入開始点の前の段階における所定のリファレンスタイミングに基づいて上記処理単位長計数手段での計数値を位相差として保持する位相差保持手段と、入力される基準オーディオデータに関するリファレンスタイミングのうち、上記所定のリファレンスタイミングの入力時に、上記位相差保持手段にて保持されている上記位相差を上記処理単位長計数手段に供給して、該位相差から計数を開始させる位相差供給手段とを有し、上記位相差供給手段は、入力される基準オーディオデータに関するリファレンスタイミングと上記所定のリファレンスタイミングを比較し、互いのリファレンスタイミングが一致した段階で、上記処理単位長計数手段に位相差取込み信号を出力する取込み信号出力手段を有し、上記処理単位長計数手段は、上記取込み信号出力手段からの位相差取込み信号の入力に基づいて、現在の計数値を上記位相差保持手段にて保持されている位相差に切り換えて該位相差から計数を開始するものである。
【００３９】
これにより、まず、基準情報データが符号化処理にて符号化されて符号化データとして記録媒体に記録されている段階において、別の情報データの挿入開始を示す挿入開始点より前の段階における所定のリファレンスタイミングと上記処理単位の開始点との位相差が保持される。
【００４０】
そして、上記別の情報データの処理単位毎の符号化処理の開始点が上記位相差に基づいて作成され、上記挿入開始点後の符号化開始点にて上記基準情報データから上記別の情報データに切り換えられて符号化処理されることになる。この符号化データは記録媒体に記録される。
【００４１】
つまり、上記別の情報データに対する符号化処理において、上記基準情報データの上記所定のリファレンスタイミングと上記処理単位の開始点との位相差が再現されることになり、その結果、上記別の情報データに対する符号化処理において、上記挿入開始点以後に現出する符号化開始点（処理単位）の出力タイミングは、基準情報データに対する符号化処理に使用された処理単位の出力タイミングに同期したものとなる。
【００４２】
このため、上記符号化処理において上記別の情報データのうち、挿入開始点から符号化を開始すれば、基準情報データの符号化データの次に、連続的に上記別の情報データにおける処理単位毎の符号化データが続くことになり、上記挿入開始点での別の情報データの挿入（インサート編集）が確実に行なわれることになる。
【００４３】
このように、本発明に係るデータ記録装置及びデータ記録方法においては、リファレンスタイミングと共に入力される基準情報データに別の情報データを挿入してなるデジタルデータを所定の処理単位に分割して符号化し、その符号化データを記録媒体に記録する場合において、別の情報データの挿入点において符号化のための処理単位の連続性を保つことができ、基準情報データの符号化データと別の情報データの符号化データとを上記挿入点で連続的につなげて記録媒体に記録することできる。
【００４４】
【発明の実施の形態】
以下、本発明に係るデータ処理装置をＤＶＤ（デジタル・ビデオ・ディスク）に記録すべきデータを編集するためのオーサリングシステムの特にオーディオ符号化処理装置に適用した実施の形態例（以下、単に実施の形態に係る符号化処理装置と記す）を図１〜図９を参照しながら説明する。
【００４５】
この実施の形態に係る符号化処理装置１を説明する前に、まず、この符号化処理装置にて取り扱われるオーディオデータの構成とタイミングについて説明する。
【００４６】
上記オーディオデータＤａは、図１に示すように、例えば磁気テープに記録されたオーディオデータ及びビデオデータを再生するデジタルＶＴＲ２からのオーディオデータである。特に、このデジタルＶＴＲ２は、ビデオデータのフレームあるいはフィールド単位に計数される時間情報（即ちタイムコードＣｔ）とその出力タイミング（出力開始点）を示すパルス信号Ｐｖｆを出力するようになっている。
【００４７】
通常、デジタルＶＴＲ２のオーディオ出力端子は多数チャネル（例えば８チャネル）分用意されており、オーディオデータＤａは、この多数チャネルの出力端子からパラレルに出力されることになる。従って、この符号化処理装置２には、８チャネル分のオーディオデータＤａがパラレルに入力されることになり、該８チャネル分のオーディオデータＤａを同時に符号化処理することになるが、説明が複雑化するため、ここでは、１チャネル分のオーディオデータＤａを想定して説明を行なう。また、タイムコードＣｔの計数タイミングもビデオデータのフレームに同期させたものに特定して説明する。従って、タイムコードＣｔの出力開始点を示すパルス信号Ｐｖｆを以後の説明ではビデオ・フレーム・パルスと記す。
【００４８】
また、上記オーディオデータＤａは、所定のサンプリング周波数でサンプリングしたデータが連続して構成されるものであり、１つのサンプリングデータは例えば８ビットにて構成されている。
【００４９】
また、この符号化処理装置１は、その符号化アルゴリズムとして例えばＭＰＥＧ／ａｕｄｉｏ（レイアIIタイプ）に準拠したものを使用している。従って、この符号化処理装置１での符号化処理単位であるオーディオ・フレームは、１１５２サンプル（１１５２個のサンプリングデータ）にて構成されるものである。従って、オーディオ・フレームとオーディオ・サンプルとの間には、以下の関係が成立する。
【００５０】
１オーディオ・フレーム＝１１５２サンプル
【００５１】
そして、この実施の形態に係る符号化処理装置１は、図１に示すように、デジタルＶＴＲ２からのオーディオデータＤａをコンピュータ３による制御によってオーディオ・フレーム単位にＭＰＥＧ／ａｕｄｉｏのアルゴリズムに従って符号化するエンコーダ１１と、オーディオ・サンプルの周波数（サンプリング周波数）Ｆｓに準じた基準クロックＰｃを発生する基準クロック発生器１２と、上記コンピュータ３による制御と上記基準クロックＰｃの入力等に基づいてオーディオ・フレームの開始点を示すオーディオ・フレーム・パルスＰａｕを出力するタイミング発生回路１３とを有して構成されている。
【００５２】
また、この符号化処理装置１は、エンコーダ１１とタイミング発生回路１３との間にゲート回路１４が挿入接続されている。このゲート回路１４は、コンピュータ３からのパルス供給停止信号の入力に基づいて、タイミング発生回路３から出力されるオーディオ・フレーム・パルスＰａｕのエンコーダ１１への供給を停止し、コンピュータ３からのパルス供給開始信号の入力に基づいて、タイミング発生回路１３から出力されるオーディオ・フレーム・パルスＰａｕのエンコーダ１１への供給を開始する回路である。
【００５３】
上記エンコーダ１１は、タイミング発生回路１３からのオーディオ・フレーム・パルスＰａｕの入力に従ってオーディオデータＤａを符号化処理し、符号化データｄａとして後段のデータバッファ４に出力するように構成されている。符号化データｄａのデータバッファ４への格納はコンピュータ３による制御よって動作するメモリコントローラ５の書込み制御に従って行なわれる。
【００５４】
データバッファ４に格納された符号化データｄａは、メモリコントローラ５による読出し制御によって例えば外部記憶装置６（ハードディスク等）に出力される。外部記憶装置６は、メモリコントローラ５からアドレスバスを通じて入力される先頭論理アドレスに対応した物理アドレスに、データバス７を通じて送出されるデータバッファ４からの符号化データｄａを順次格納する。
【００５５】
コンピュータ３は、その内部にエンコーダ１１を制御するための手段やタイミング発生回路１３を制御するための手段（タイミング制御手段２１）等がハードウェアとしてあるいはソフトウェアとして組み込まれている。
【００５６】
上記タイミング制御手段２１は、例えば図２に示すように、起動信号出力手段２２，位相差読出し要求手段２３，位相差格納手段２４，切換え点パルス供給停止手段２５，タイムコード比較手段２６，位相差受取り要求手段２７及び切換え点パルス供給開始手段２８を有して構成されている。
【００５７】
上記起動信号出力手段２２は、デジタルＶＴＲ２にて例えば１本目の磁気テープを再生することにより該デジタルＶＴＲ２から送出されたタイムコードＣｔが示す時間が、設定された開始時間を示す場合にタイミング発生回路１３に起動信号Ｓａを出力する機能を有する。開始時間は、例えば操作者がキー入力手段を操作することによって入力されるものであり、この時間データはデータＲＡＭの所定領域（開始時間格納領域Ｚ１）に格納される。
【００５８】
上記位相差読出し要求手段２３は、デジタルＶＴＲ２からのビデオ・フレーム・パルスＰｖｆの入力数を計数して、予め設定されている所定の計数値、例えば図３の例では、別の磁気テープに切り換える時点での計数値（ｊ個）よりも例えば１ビデオ・フレーム・パルス分前の計数値（（ｊ−１）個）であり、この計数値は、例えばコンピュータ３に割り付けられているレジスタＲ１に格納されている。）となった段階で現在のタイムコードＣｔをデータＲＡＭの所定領域（読出し要求時間格納領域Ｚ２）に格納し、かつタイミング発生回路１３に位相差読出し要求信号Ｓｂを出力する機能を有する。
【００５９】
上記位相差格納手段２４は、上記位相差読出し要求手段２３からの位相差読出し要求信号Ｓｂの入力に基づいてタイミング発生回路１３から出力される計数値を位相差値ＤｐとしてデータＲＡＭの所定領域（位相差格納領域Ｚ３）に格納する機能を有する。
【００６０】
上記切換え点パルス供給停止手段２５は、上記位相差読出し要求手段２３から出力される位相差読出し要求信号Ｓｂの入力に基づいて、タイミング発生回路１３から出力されるオーディオ・フレーム・パルスＰａｕを計数して、予め設定されている所定の計数値となった段階で上記ゲート回路１４にパルス供給停止信号Ｓｃを出力してタイミング発生回路１３からエンコーダ１１へのオーディオ・フレーム・パルスＰａｕの供給を停止させる機能を有する。
【００６１】
上記所定の計数値は、本実施の形態においては例えば「２」とされ、該計数値は例えばコンピュータ３に割り付けられているレジスタＲ２に格納されている。従って、図３の例で示すと、上記パルス供給停止手段２５は、例えば１本目の磁気テープからの再生データにおけるオーディオ・フレーム（Ｎ−２）の途中で位相差読出し要求信号Ｓｂが出力されるため、オーディオ・フレーム（Ｎ−１）及び（Ｎ）の各パルスＰａｕを計数した後に上記パルス供給停止信号Ｓｃを出力することとなる。このことから、１本目の磁気テープからの再生データ（オーディオデータＤａ）について、オーディオ・フレーム（Ｎ＋１）以降のオーディオデータＤａに対するエンコーダ１１での符号化処理は行なわれない。
【００６２】
上記タイムコード比較手段２６は、デジタルＶＴＲ２において切換え後の磁気テープを再生することにより送出されるタイムコードＣｔとデータＲＡＭの読出し要求時間格納領域Ｚ２に格納されているタイムコードとを比較し、その比較結果を後段の位相差受取り要求手段２７に出力する機能を有する。
【００６３】
上記位相差受取り要求手段２７は、上記タイムコード比較手段２６からの比較結果が一致を示す場合に、タイミング発生回路１３に位相差受取り要求信号Ｓｄを出力し、続いて上記データＲＡＭの位相差格納領域Ｚ３に格納されている位相差値Ｄｐをタイミング発生回路１３に出力する機能を有する。タイミング発生回路１３は、上記位相差受取り要求手段２７からの位相差受取り要求信号Ｓｄの入力に基づいて例えばデータ入力のためのゲートを開き、続いて入力される位相差値Ｄｐを受け取って、該位相差値Ｄｐが示す計数値から計数を開始する。
【００６４】
上記パルス供給開始手段２８は、上記位相差受取り要求手段２７から出力される位相差受取り要求信号Ｓｄの入力に基づいて、タイミング発生回路１３から出力されるオーディオ・フレーム・パルスＰａｕを計数して、予め設定されている所定の計数値となった段階で上記ゲート回路１４にパルス供給開始信号Ｓｅを出力してタイミング発生回路１３からエンコーダ１１へのオーディオ・フレーム・パルスＰａｕの供給を開始させる機能を有する。
【００６５】
上記所定の計数値は、本実施の形態においては例えば「２」とされ、該計数値は例えばコンピュータ３に割り付けられているレジスタＲ３に格納されている。従って、図３の例で示すと、上記パルス供給開始手段２８は、例えば２本目の磁気テープからの再生データにおけるオーディオ・フレーム（Ｎ−２）の途中で位相差読出し受取り信号Ｓｄが入力されるため、オーディオ・フレーム（Ｎ−１）及び（Ｎ）の各パルスを計数した後に上記パルス供給開始信号Ｓｅを出力することとなる。このことから、２本目の磁気テープからの再生データ（オーディオデータＤａ）について、オーディオ・フレーム（Ｎ＋１）以降のオーディオデータＤａに対して符号化処理が行なわれることになる。
【００６６】
一方、タイミング発生回路１３は、基準クロック発生器１２からの基準クロックＰｃを計数し、所定の計数値、即ちオーディオ・フレームのサンプル値（この場合、１１５２）を計数する毎に一つのパルス信号（オーディオ・フレーム・パルスＰａｕ）を出力するカウンタを主体にした構成を有する。このタイミング発生回路１３から出力されるオーディオ・フレーム・パルスＰａｕはエンコーダ１１及びコンピュータ３にそれぞれ供給される。
【００６７】
エンコーダ１１は、デジタルＶＴＲ２から供給されるオーディオデータＤａを、上記タイミング発生回路１３からのオーディオ・フレーム・パルスＰａｕの入力タイミングに同期させて符号化処理して符号化データｄａとして出力する。この符号化データｄａはメモリコントローラ５による書込み制御に従って後段のデータバッファ４に書き込まれる。
【００６８】
そして、このタイミング発生回路１３は、コンピュータ３に組み込まれたタイミング制御手段２１における起動信号出力手段２２からの起動信号Ｓａの入力に基づいて、基準クロック発生器１２からの基準クロックＰｃの計数を開始し、所定の計数値となった段階で上述したようにオーディオ・フレーム・パルスＰａｕを出力する。
【００６９】
上記タイミング発生回路１３は、その後、上記タイミング制御手段２１における位相差読出し要求手段２３からの位相差読出し要求信号Ｓｂの入力に基づいて現在の計数値（位相差値Ｄｐ）をコンピュータ３に出力する。
【００７０】
この計数値Ｄｐは、デジタルＶＴＲ２での磁気テープの切換え時点におけるオーディオ・フレーム・パルスの出力時点（図３の例では（Ｎ＋１）フレーム目）よりも所定前のオーディオ・フレーム・パルスの出力時点（図３の例では（Ｎ−２）フレーム目）、即ち上記切換え時点を基準としてその２つ前のビデオ・フレーム・パルスＰｖｆの出力時点（位相差読出し要求信号Ｓｂの入力時点）の直前におけるオーディオ・フレーム・パルスＰａｕの出力時点から上記位相差読出し要求信号Ｓｂの入力時点までの計数値であり、これは上記所定前のオーディオ・フレーム・パルスＰａｕと位相差読出し要求信号Ｓｂの入力時点におけるビデオ・フレーム・パルスＰｖｆ（ｊ−１）との位相差、もしくは位相差読出し要求信号Ｓｂの入力時点におけるビデオ・フレーム・パルスＰｖｆ（ｊ−１）と上記所定前のオーディオ・フレーム・パルスＰａｕ（Ｎ−２）の次のオーディオ・フレーム・パルスＰａｕ（Ｎ−１）との位相差を示すものである。
【００７１】
また、上記タイミング発生回路１３は、タイミング制御手段２１における位相差受取り要求手段２７からの位相差受取り要求信号Ｓｄの入力に基づいて、同じく位相差受取り要求手段２７から送出される位相差値Ｄｐ（計数値）を受け取り、現在の計数値を受け取った位相差値Ｄｐに切り換えて該位相差値Ｄｐから計数を開始する。
【００７２】
次に、上記コンピュータ３におけるタイミング制御手段２１とタイミング発生回路１３による処理動作、特にデジタルＶＴＲ２において１本目の磁気テープを再生した後に２本目の磁気テープを再生した場合の処理動作を図３のタイミングチャートも参照しながら説明する。
【００７３】
まず、コンピュータ３に接続されているキー入力手段を通じて開始時間と終了時間が入力され、特に開始時間はデータＲＡＭの開始時間格納領域Ｚ１に格納される。この時点でデジタルＶＴＲ２に対してスタンバイ要求信号が出力され、デジタルＶＴＲ２はコンピュータ３からのスタンバイ要求信号の入力に基づいて１本目の磁気テープに対する再生動作を開始する。
【００７４】
このデジタルＶＴＲ２による１本目の磁気テープへの再生動作が開始されると、このデジタルＶＴＲ２からオーディオデータＤａが出力され、更にビデオ・フレームに同期したタイムコードＣｔとビデオ・フレーム・パルスＰｖｆがそれぞれ出力される。
【００７５】
デジタルＶＴＲ２から出力されるタイムコードＣｔは、コンピュータ３に組み込まれているタイミング制御手段２１の起動信号出力手段２２，位相差読出し要求手段２３及びタイムコード比較手段２６にそれぞれ供給され、デジタルＶＴＲ２から出力されるビデオ・フレーム・パルスＰｖｆは上記位相差読出し要求手段２３に供給される。
【００７６】
上記起動信号出力手段２２は、供給されるタイムコードＣｔが示す時間が開始時間格納領域Ｚ１に格納されている開始時間となった段階で起動信号Ｓａをタイミング発生回路１３に出力する。
【００７７】
タイミング発生回路１３は、コンピュータ３からの上記起動信号Ｓａの入力に基づいて、基準クロック発生器１２からの基準クロックＰｃの計数を開始する。このタイミング発生回路１３は、その計数範囲が「１」から「１１５２」までとなっており、「１１５２」の次に「１」に戻るようにその計数が行なわれる。そして、計数値が「１」となるたびに１つのオーディオ・フレーム・パルスＰａｕを出力する。従って、このタイミング発生回路１３からは、起動信号Ｓａが入力された時点において１つのオーディオ・フレーム・パルスＰａｕが出力され、その後、基準クロックＰｃを１１５２個計数するたびに１つのオーディオ・フレーム・パルスＰａｕが出力されることになる。
【００７８】
上述のようにしてタイミング発生回路１３から順次オーディオ・フレーム・パルスＰａｕが出力されてエンコーダ１１及びコンピュータ３にそれぞれ供給される。エンコーダ１１への上記オーディオ・フレーム・パルスＰａｕの供給は、ゲート回路１４を通じて行なわれる。この場合、ゲート回路１４には、コンピュータ３からパルス供給停止信号Ｓｃが入力されていないため、タイミング発生回路１３からのオーディオ・フレーム・パルスＰａｕをそのままエンコーダ１１に供給する。
【００７９】
エンコーダ１１は、タイミング発生回路１３から出力されるオーディオ・フレーム・パルスＰａｕの入力時点をオーディオデータＤａに対する符号化開始点として符号化を開始する。即ち、エンコーダ１１は、デジタルＶＴＲ２から順次出力されるオーディオデータＤａを１１５２サンプル単位に分割して符号化を行う。符号化された後のデータ（符号化データｄａ）は、メモリコントローラ５による書込み制御に従って順次データバッファ４に書き込まれる。
【００８０】
そして、デジタルＶＴＲ２での１本目の磁気テープに対する再生処理が終了する段階、即ちコンピュータ３の位相差読出し要求手段２３でのビデオ・フレーム・パルスＰｖｆの計数値が、レジスタＲ１に格納されている所定の計数値（図３の例では（ｊ−１）個）となった段階で、該位相差読出し要求手段２３は、タイミング発生回路１３に位相差読出し要求信号Ｓｂを出力すると同時に、現在のタイムコード（図３の例ではタイムコードＣｔ（ｊ−１））をデータＲＡＭの読出し要求時間格納領域Ｚ２に格納する。
【００８１】
タイミング発生回路１３は、上記位相差読出し要求手段２３から出力される位相差読出し要求信号Ｓｂの入力に基づいて、現在の計数値（位相差値Ｄｐ）をコンピュータ３に出力する。このタイミング発生回路１３から送出された位相差値Ｄｐは、タイミング制御手段２１における位相差格納手段２４を通じてデータＲＡＭの位相差格納領域Ｚ３に格納される。
【００８２】
このとき、上記タイミング制御手段２１におけるパルス供給停止手段２５は、上記位相差読出し要求手段２３から出力される位相差読出し要求信号Ｓｂの入力に基づいて、タイミング発生回路１３から出力されるオーディオ・フレーム・パルスＰａｕを計数し、レジスタＲ２に格納されている所定の計数値となった段階で上記ゲート回路１４にパルス供給停止信号Ｓｃを出力する。
【００８３】
ゲート回路１４は、コンピュータ３からのパルス供給停止信号Ｓｃの入力に基づいて、タイミング発生回路１３から出力されるオーディオ・フレーム・パルスＰａｕのエンコーダ１１への供給を停止する。この時点からエンコーダ１１でのオーディオデータＤａに対する符号化処理が停止する。図３の例では、オーディオ・フレーム（Ｎ）におけるオーディオ・フレーム・パルスＰａｕ（Ｎ）を計数した段階で、上記パルス供給停止手段２５からパルス供給停止信号Ｓｃが出力されることから、オーディオ・フレーム（Ｎ＋１）以降のオーディオデータＤａに対するエンコーダ１１での符号化処理は行なわれない。
【００８４】
１本目の磁気テープからのオーディオデータＤａに対する符号化処理が終了した後、デジタルＶＴＲ２には２本目の磁気テープが装着されて該２本目の磁気テープに対する再生処理が行なわれ、該デジタルＶＴＲ２からは２本目の磁気テープの再生データ（オーディオデータＤａ）とタイムコードＣｔ及びビデオ・フレーム・パルスＰｖｆが出力されることになる。
【００８５】
コンピュータ３のタイミング制御手段２１におけるタイムコード比較手段２６は、デジタルＶＴＲ２からのタイムコードＣｔとデータＲＡＭの位相差読出し時間格納領域Ｚ２に格納されているタイムコードとを比較する。この比較結果は、後段の位相差受取り要求手段２７に供給される。この位相差受取り要求手段２７においては、上記タイムコード比較手段２６からの比較結果が一致を示す場合、即ち図３の例では、デジタルＶＴＲ２からのタイムコードＣｔがタイムコードＣｔ（ｊ−１）となった場合に、タイミング発生回路１３に対して位相差受取り要求信号Ｓｄを出力し、次いでデータＲＡＭの位相差格納領域Ｚ３に格納されている位相差値Ｄｐをタイミング発生回路１３に出力する。
【００８６】
タイミング発生回路１３は、コンピュータ３からの上記位相差受取り要求信号Ｓｄの入力に基づいて、該タイミング発生回路１３へのデータ供給のためのゲートを開き、続いて入力されるコンピュータ３からの位相差値Ｄｐを取り込んで、該位相差値Ｄｐから計数を開始する。
【００８７】
上記位相差値Ｄｐは、１本目の磁気テープからのオーディオデータＤａのオーディオ・フレーム（Ｎ−１）からタイムコードＣｔ（ｊ−１）におけるビデオ・フレーム（ｊ−１）までの計数値であることから、タイミング発生回路１３にて上記位相差値Ｄｐから基準クロックＰｃの計数を開始することにより、その計数開始時点から計数値が「１１５２」から「１」に切り換わるまでの時間幅は、１本目の磁気テープの再生データにおいて、タイムコードＣｔ（ｊ−１）に関するビデオ・フレーム（ｊ−１）の開始時点からオーディオ・フレーム（Ｎ−１）に切り換わる時点までの時間幅と同じである。
【００８８】
つまり、２本目の磁気テープからの再生データについて、１本目の磁気テープからの再生データのビデオ・フレーム（ｊ−１）の開始時点からオーディオ・フレーム（Ｎ−１）の開始時点までの位相差が再現されたことなる。
【００８９】
その結果、２本目の磁気テープからの再生データに対する符号化処理において、タイムコードＣｔ（ｊ−１）に関するビデオ・フレーム・パルスＰｖｆの出力以後に現出するオーディオ・フレーム・パルスＰａｕの出力タイミングは、１本目の磁気テープからの再生データに対する符号化処理に使用されたオーディオ・フレーム・パルスＰａｕの出力タイミングに同期したものとなる。
【００９０】
従って、エンコーダ１１において２本目の磁気テープからの再生データのうち、オーディオ・フレーム（Ｎ＋１）から符号化を開始すれば、１本目の磁気テープからの再生データに対するオーディオ・フレーム（Ｎ）目の符号化データｄａの次に、連続的に上記オーディオ・フレーム（Ｎ＋１）以降の符号化データｄａが続くことになる。
【００９１】
一方、上記コンピュータ３のタイミング制御手段２１においては、そのパルス供給開始手段２８において、位相差受取り要求手段２７からの位相差受取り要求信号Ｓｄの入力に基づいて、タイミング発生回路１３からのオーディオ・フレーム・パルスＰａｕの計数が開始される。そして、その計数値がレジスタＲ３に格納されている所定の計数値となった時点で当該パルス供給開始手段２８からパルス供給開始信号Ｓｅが出力されることとなる。図３の例ではオーディオ・フレーム（Ｎ）が供給された段階において上記パルス供給開始信号Ｓｅがゲート回路１４に出力されることになる。
【００９２】
デジタルＶＴＲ２での１本目の磁気テープに対する再生動作が終了する段階（オーディオ・フレーム（Ｎ）の開始以降）においては、ゲート回路１４に、パルス供給停止手段２５を通じて出力されたパルス供給停止信号Ｓｃが供給されているため、タイミング発生回路１３から出力されるオーディオ・フレーム・パルスＰａｕのエンコーダ１１への供給を停止している。
【００９３】
このような状態で、上記パルス供給開始手段２８を通じて出力された上記パルス供給開始信号Ｓｅがゲート回路１４に入力されることによって、オーディオ・フレーム・パルスＰａｕのエンコーダ１１への供給停止が解除されるため、エンコーダ１１には、２本目の磁気テープからの再生データにおけるオーディオ・フレーム（Ｎ＋１）以降のオーディオ・フレーム・パルスＰａｕが供給されることになり、２本目の磁気テープからの再生データに対するエンコーダ１１での符号化処理は、オーディオ・フレーム（Ｎ＋１）から行なわれることになる。
【００９４】
つまり、エンコーダ１１からは、１本目の磁気テープからの再生データについてのオーディオ・フレーム（０）〜オーディオ・フレーム（Ｎ）までの符号化データｄａが出力された後に、２本目の磁気テープからの再生データについてのオーディオ・フレーム（Ｎ＋１）以降の符号化データｄａが出力されることとなる。
【００９５】
この場合、２本目の磁気テープからの再生データに対する符号化処理の開始タイミング（オーディオ・フレーム・パルスＰａｕ）が、１本目の磁気テープからの再生データに対する符号化処理の開始タイミング（オーディオ・フレーム・パルスＰａｕ）に同期したものとなっているため、１本目の磁気テープについてのオーディオ・フレーム（Ｎ）と２本目の磁気テープについてのオーディオ・フレーム（Ｎ＋１）は連続したものとなる。
【００９６】
３本目以降の磁気テープからの再生データに対する符号化処理も上記と同様に行なわれることとなる。この場合も、それぞれの切換え点におけるオーディオ・フレームは連続したものとなる。
【００９７】
次に、タイミング発生回路１３の具体的構成例について図４を参照しながら説明する。このタイミング発生回路１３は、２つのカウンタ（第１及び第２のカウンタ３１及び３２）と、禁止回路３３を有して構成されている。
【００９８】
第１のカウンタ３１は、コンピュータ３からの起動信号Ｓａの入力に基づいて、基準クロック発生器１２からの基準クロックＰｃの計数を開始する回路であって、その計数範囲は、「１」から「１１５２」までとなっており、「１１５２」の次に「１」に戻るようにその計数が行なわれる。そして、計数値が「１」となるたびに１つの基準パルスＢＰ１を出力する。この基準パルスＢＰ１は禁止回路３３に供給される。
【００９９】
また、この第１のカウンタ３１は、コンピュータ３からの位相差読出し要求信号Ｓｂの入力に基づいて、現在の計数値を位相差値Ｄｐとしてコンピュータ３に出力するように構成されている。
【０１００】
第２のカウンタ３２は、コンピュータ３からの位相差受取り要求信号Ｓｄの入力に基づいて、コンピュータ３から送出される位相差値Ｄｐを取り込んで、該位相差値Ｄｐから基準クロックＰｃの計数を開始する回路であって、その計数範囲は、第１のカウンタと同様に「１」から「１１５２」までとなっており、「１１５２」の次に「１」に戻るようにその計数が行なわれる。そして、計数値が「１」となった段階で１つの基準パルスＢＰ２を出力する。
【０１０１】
この第２のカウンタ３２は１つの基準パルスＢＰ１を出力した段階で計数動作を終了し、その後にコンピュータ３からの位相差受取り要求信号Ｓｄが入力されるまで計数動作は停止状態とされる。また、この第２のカウンタ３２から出力される１つの基準パルスＢＰ２は、接点ａを介して第１のカウンタ３１に供給され、更に接点ｂを介して禁止回路３３に供給されるように配線接続されている。
【０１０２】
禁止回路３３は、ある期間のみ高レベルとされたウィンドウパルスＰｗを出力するウィンドウパルス生成回路３４と、該ウィンドウパルス生成回路３４からのウィンドウパルスＰｗが高レベルの期間だけ基準パルスＢＰ１又はＢＰ２の出力を禁止するゲート回路３５を有して構成されている。
【０１０３】
上記ウィンドウパルス生成回路３４は、例えばＳＲフリップフロップにて構成され、そのセット端子Ｓにコンピュータ３からの位相差受取り要求信号Ｓｄが入力され、リセット端子Ｒに第２のカウンタ３２からの基準パルスＢＰ２が入力されるように配線接続されている。
【０１０４】
ゲート回路３５は、例えば２端子入力タイプのＯＲ回路にて構成され、一方の入力端子に第１のカウンタ３１又は第２のカウンタ３２からの基準パルスＢＰ１又はＢＰ２が入力され、他方の入力端子にウィンドウパルス生成回路３４の出力端子Ｑから出力されるウィンドウパルスＰｗが入力されるように配線接続されている。以後の説明では、当該ゲート回路３５をエンコーダ１１へのオーディオ・フレーム・パルスＰａｕの供給を制御するゲート回路１４と区別するために便宜的にＯＲ回路３５と記す。
【０１０５】
この禁止回路３３の必要性は、第１のカウンタ３１及び第２のカウンタ３２から出力される基準パルスＢＰ１及びＢＰ２をそのままオーディオ・フレーム・パルスＰａｕとした場合、図３に示すように、第１のカウンタ３１において、コンピュータ３からの位相差受取り要求信号Ｓｄの入力前における基準パルスＢＰ１（矢印ａで示す）の出力時点から引続き基準クロックＰｃの計数が行なわれるため、例えば上記位相差受取り要求信号Ｓｄの入力後においてその計数値が「１」に戻った時点で第１のカウンタ３１から基準パルスＢＰ１が出力され、その後、第２のカウンタ３２からオーディオ・フレーム長よりも短い時間間隔で基準パルスＢＰ２が出力される場合が生じる。
【０１０６】
これは、第１のカウンタ３１での上記計数開始が２本目の磁気テープからの再生データにおけるビデオ・フレームとは無関係に行なわれることと、第２のカウンタ３２での計数開始が１本目の磁気テープからの再生データにおけるオーディオ・フレームに同期したものとなっているからであり、上記位相差受取り要求信号Ｓｄの入力時点と第２のカウンタ３２からの基準パルスＢＰ２の出力時点の間に第１のカウンタ３１から基準パルスＢＰ１が出力されることは十分に有り得ることである。
【０１０７】
この場合、上記区間に出力される第１のカウンタ３１からの基準パルスＢＰ１をそのままオーディオ・フレーム・パルスＰａｕとすると、オーディオ・フレーム・パルスＰａｕの間隔が、オーディオ・フレームの間隔よりも短い区間が発生してしまい、エンコーダ１１にて符号化処理する場合に不都合が生じる可能性がある。
【０１０８】
もっとも、本実施の形態においては、ゲート回路１４にて２本目の磁気テープからの再生データに対する符号化処理を切換え点以降に行なうようにオーディオ・フレーム・パルスＰａｕのエンコーダ１１への供給を制御するようにしているため、問題はないように思われるが、コンピュータ３のタイミング制御手段２１におけるパルス供給開始手段２８での計数が所定の切換え点よりも１つ前のオーディオ・フレーム（図３の例ではオーディオ・フレーム（Ｎ−１）の開始以後）にて完了するため、切換え点がオーディオ・フレーム（Ｎ）の開始時点となり、その結果、オーディオ・フレーム（Ｎ）の符号化データが重複するおそれがある。
【０１０９】
そこで、本実施の形態においては上記禁止回路３３を設けることによって、上記位相差受取り要求信号Ｓｄの入力時点から第２のカウンタ３２からの基準パルスＢＰ２の出力時点までに出力される基準パルスＢＰ１の送出を禁止するようにし、該禁止回路３３から出力される基準パルスを真のオーディオ・フレーム・パルスＰａｕとして、エンコーダ１１及びコンピュータ３に入力させるようにしている。
【０１１０】
次に、上記変形例に係るタイミング発生回路１３の信号処理動作を図３も参照しながら説明する。なお、コンピュータ３に組み込まれているタイミング制御手段２１の処理動作については、すでに説明してあるため、その動作説明は省略する。
【０１１１】
まず、第１のカウンタ３１は、コンピュータ３に組み込まれたタイミング制御手段２１における起動信号出力手段２２からの起動信号Ｓａの入力に基づいて、基準クロック発生器１２からの基準クロックＰｃの計数を開始し、その計数値が「１」に戻るごとに１つの基準パルスＢＰ１を出力する。
【０１１２】
従って、この第１のカウンタ３１からは、起動信号Ｓａが入力された時点において１つの基準パルスＢＰ１が出力され、その後、基準クロックＰｃを１１５２個計数するたびに１つの基準パルスＢＰ１が出力されることになる。この基準パルスＢＰ１は、高レベルから低レベルになる時点を前縁とし、低レベルから高レベルになる時点を後縁とする負極性のパルス信号である。
【０１１３】
第１のカウンタ３１から出力される上記基準パルスＢＰ１は、後段のＯＲ回路３５の一方の入力端子に供給される。この状態において、ウィンドウパルス生成回路３４に位相差受取り要求信号Ｓｄが供給されていない場合、該ウィンドウパルス生成回路３４から出力されるウィンドウパルスＰｗは低レベルとなっているため、ＯＲ回路３５から出力される信号は、基準パルスＢＰ１そのものとなり、これがオーディオ・フレーム・パルスＰａｕとしてエンコーダ１１及びコンピュータ３に供給されることになる。
【０１１４】
エンコーダ１１への上記オーディオ・フレーム・パルスＰａｕの供給は、ゲート回路１４を通じて行なわれる。この場合、ゲート回路１４には、コンピュータ３からパルス供給停止信号Ｓｃが入力されていないため、ＯＲ回路３５からのオーディオ・フレーム・パルスＰａｕがそのままエンコーダ１１に供給されることになる。
【０１１５】
エンコーダ１１は、ＯＲ回路３５から出力されるオーディオ・フレーム・パルスＰａｕの入力時点をオーディオデータＤａに対する符号化開始点として符号化を開始する。即ち、エンコーダは、デジタルＶＴＲから順次出力されるオーディオデータを１１５２サンプル単位に分割して符号化を行う。符号化された後のデータ（符号化データｄａ）は、メモリコントローラ５による書込み制御に従って順次データバッファ４に書き込まれる。
【０１１６】
そして、デジタルＶＴＲ２での１本目の磁気テープに対する再生処理が終了する段階、即ちコンピュータ３の位相差読出し要求手段２３でのビデオ・フレーム・パルスＰｖｆの計数値が、２本目の磁気テープに切り換える時点でのビデオ・フレーム・パルスの計数値の−１の計数値（図３の例では（ｊ−１）個）となった段階で、該位相差読出し要求手段２３は、第１のカウンタ３１に位相差読出し要求信号Ｓｂを出力すると同時に、現在のタイムコード（図３の例ではタイムコードＣｔ（ｊ−１））をデータＲＡＭの読出し要求時間格納領域Ｚ２に格納する。
【０１１７】
第１のカウンタ３１は、上記位相差読出し要求手段２３から出力される位相差読出し要求信号Ｓｂの入力に基づいて、現在の計数値を位相差値Ｄｐとしてコンピュータ３に出力する。この第１のカウンタ３１から送出された位相差値Ｄｐは、位相差格納手段２４を通じてデータＲＡＭの位相差格納領域Ｚ３に格納される。
【０１１８】
このとき、パルス供給停止手段２５は、上記位相差読出し要求手段２３から出力される位相差読出し要求信号Ｓｂの入力に基づいて、ＯＲ回路３５から出力されるオーディオ・フレーム・パルスＰａｕを計数して、レジスタＲ２に格納されている所定の計数値となった段階で上記ゲート回路１４にパルス供給停止信号Ｓｃを出力する。
【０１１９】
ゲート回路１４は、コンピュータ３からのパルス供給停止信号Ｓｃの入力に基づいて、タイミング発生回路１３から出力されるオーディオ・フレーム・パルスＰａｕのエンコーダ１１への供給を停止する。この時点からエンコーダ１１でのオーディオデータＤａに対する符号化処理が停止する。図３の例では、オーディオ・フレーム（Ｎ）におけるオーディオ・フレーム・パルスＰａｕを計数した段階で、上記パルス供給停止手段２５からパルス供給停止信号Ｓｃが出力されることから、オーディオ・フレーム（Ｎ＋１）以降のオーディオデータに対するエンコーダでの符号化処理は行なわれない。
【０１２０】
１本目の磁気テープからのオーディオデータに対する符号化処理が終了した後、デジタルＶＴＲ２には２本目の磁気テープが装着されて該２本目の磁気テープに対する再生処理が行なわれ、該デジタルＶＴＲ２からは２本目の磁気テープの再生データ（オーディオデータＤａ）とタイムコードＣｔ及びビデオ・フレーム・パルスＰｖｆが出力されることになる。
【０１２１】
そして、タイミング制御手段２１のタイムコード比較手段２６での比較結果が一致を示す場合、即ち図３の例では、デジタルＶＴＲ２からのタイムコードＣｔがタイムコードＣｔ（ｊ−１）となった場合に、第２のカウンタ３２及びウィンドウパルス生成回路３４に対して位相差受取り要求信号Ｓｄを出力し、次いでデータＲＡＭの位相差格納領域Ｚ３に格納されている位相差値Ｄｐを第２のカウンタ３２に出力する。
【０１２２】
第２のカウンタ３２は、コンピュータ３からの上記位相差受取り要求信号Ｓｄの入力に基づいて、該第２のカウンタ３２へのデータ供給のためのゲートを開き、続いて入力されるコンピュータ３からの位相差値Ｄｐを取り込んで、該位相差値Ｄｐから計数を開始する。この第２のカウンタは、その計数値が「１１５２」から「１」に戻った時点で１つの基準パルスＢＰ２を出力して、その後の計数動作を停止する。
【０１２３】
一方、ウィンドウパルス生成回路３４は、上記位相差受取り要求信号Ｓｄの入力時点で立ち上がり、上記第２のカウンタ３２からの基準パルスＢＰ２の入力時点で立ち下がるウィンドウパルスＰｗを出力する。このウィンドウパルスＰｗはＯＲ回路３５の他方の入力端子に供給される。従って、このウィンドウパルスＰｗが高レベルとなっている期間においては、ＯＲ回路３５からの出力は高レベルとされるため、該期間における第１のカウンタ３１からの基準パルスＢＰ１の出力は実質的に無効とされる。即ち、上記期間における第１のカウンタ３１からの上記基準パルスＢＰ１はオーディオ・フレーム・パルスＰａｕとして出力されないこととなる。
【０１２４】
ところで、位相差値Ｄｐは、１本目の磁気テープからのオーディオデータのオーディオ・フレーム（Ｎ−１）からタイムコードＣｔ（ｊ−１）におけるビデオ・フレーム（ｊ−１）までの計数値であることから、第２のカウンタ３２にて上記位相差値Ｄｐから基準クロックＰｃの計数を開始することにより、その計数開始時点から計数値が「１１５２」から「１」に切り換わるまでの時間幅は、１本目の磁気テープの再生データにおいて、タイムコードＣｔ（ｊ−１）に関するビデオ・フレーム（ｊ−１）の開始時点からオーディオ・フレーム（Ｎ−１）に切り換わる時点までの時間幅と同じである。
【０１２５】
つまり、２本目の磁気テープからの再生データについて、１本目の磁気テープからの再生データのビデオ・フレーム（ｊ−１）の開始時点からオーディオ・フレーム（Ｎ−１）の開始時点までの位相差が再現されたことなる。
【０１２６】
その結果、２本目の磁気テープからの再生データに対する符号化処理において、タイムコードＣｔ（ｊ−１）に関するビデオ・フレーム・パルスの出力以後に現出するオーディオ・フレーム・パルスＰａｕの出力タイミングは、１本目の磁気テープからの再生データに対する符号化処理に使用されたオーディオ・フレーム・パルスの出力タイミングに同期したものとなる。
【０１２７】
従って、エンコーダ１１において２本目の磁気テープからの再生データのうち、オーディオ・フレーム（Ｎ＋１）から符号化を開始すれば、１本目の磁気テープからの再生データに対するオーディオ・フレーム（Ｎ）目の符号化データの次に、連続的に上記オーディオ・フレーム（Ｎ＋１）以降の符号化データが続くことになる。
【０１２８】
一方、上記コンピュータ３のタイミング手段２１においては、そのパルス供給開始手段２８において、位相差受取り要求手段２７からの位相差受取り要求信号Ｓｄの入力に基づいて、タイミング発生回路１３から出力されるオーディオ・フレーム・パルスＰａｕの計数が開始される。そして、その計数値がレジスタＲ３に格納されている所定の計数値となった時点で当該パルス供給開始手段２８からパルス供給開始信号Ｓｅが出力されることとなる。図３の例ではオーディオ・フレーム（Ｎ）が供給された段階において上記パルス供給開始信号Ｓｅがゲート回路１４に出力されることになる。
【０１２９】
デジタルＶＴＲ２での１本目の磁気テープに対する再生動作が終了する段階（オーディオ・フレーム（Ｎ）の開始以降）において、ゲート回路１４には、パルス供給停止手段２５を通じて出力されたパルス供給停止信号Ｓｃが供給されているため、タイミング発生回路１３から出力されるオーディオ・フレーム・パルスＰａｕのエンコーダ１１への供給を停止している。
【０１３０】
このような状態で、上記パルス供給開始手段２８を通じて出力された上記パルス供給開始信号Ｓｅがゲート回路１４に入力されることによって、オーディオ・フレーム・パルスＰａｕのエンコーダ１１への供給停止が解除されるため、エンコーダ１１には、２本目の磁気テープからの再生データについてのオーディオ・フレーム（Ｎ＋１）以降のオーディオ・フレーム・パルスＰａｕが供給されることになり、２本目の磁気テープからの再生データに対するエンコーダ１１での符号化処理は、オーディオ・フレーム（Ｎ＋１）から行なわれることになる。
【０１３１】
つまり、エンコーダ１１からは、１本目の磁気テープからの再生データについてのオーディオ・フレーム（０）〜オーディオ・フレーム（Ｎ）までの符号化データが出力された後に、２本目の磁気テープからの再生データについてのオーディオ・フレーム（Ｎ＋１）以降の符号化データが出力されることとなる。
【０１３２】
この場合、２本目の磁気テープからの再生データに対する符号化処理の開始タイミング（オーディオ・フレーム・パルスＰａｕ）が、１本目の磁気テープからの再生データに対する符号化処理の開始タイミング（オーディオ・フレーム・パルスＰａｕ）に同期したものとなっているため、１本目の磁気テープについてのオーディオ・フレーム（Ｎ）と２本目の磁気テープについてのオーディオ・フレーム（Ｎ＋１）は連続したものとなる。
【０１３３】
３本目以降の磁気テープからの再生データに対する符号化処理も上記と同様に行なわれることとなる。この場合も、それぞれの切換え点におけるオーディオ・フレームは連続したものとなる。
【０１３４】
上記例は、複数本の磁気テープにわたって記録されたオーディオデータＤａについて、デジタルＶＴＲ２にてそれぞれ順番に１本ずつ再生して本実施の形態に係る符号化処理装置１に供給することにより、１つの連続した符号化データ列を作成するようにしたが、その他、オーディオデータのインサート編集を行なうデータ記録装置にも応用させることができる。
【０１３５】
このインサート編集は、操作者がキー入力手段を操作してインサート記録の開始を示すキー入力を行なった時点から例えば２ビデオ・フレーム経過時点をＩＮ点としてこのＩＮ点から別のオーディオデータを挿入し、操作者がインサート記録の終了を示すキー入力を行なった時点から例えば２ビデオ・フレーム経過時点をＯＵＴ点としてこのＯＵＴ点から上記別のオーディオデータの挿入を終了させるという編集を行ない、更にこれら編集データに対して符号化処理を行なって磁気テープに記録するという処理を行なう。
【０１３６】
以下、本実施の形態に係るデータ記録装置について図５〜図９を参照しながら説明する。
【０１３７】
このデータ記録装置５１は、図５に示すように、データ記録系５２とデータ再生系５３とこれらデータ記録系５２及びデータ再生系５３を制御するコンピュータ５４を有して構成されている。
【０１３８】
データ記録系５２は、入力されるオーディオデータＤａをオーディオ・フレーム単位に符号化処理して符号化データｄａとして出力する符号化処理回路６１と、この符号化処理回路６１から出力される符号化データｄａに対してエラー訂正用のコードを付加するエラーコード付加回路６２と、このエラーコード付加回路６２から出力されるデータを磁気テープＴに記録するための信号形態に変換して磁気テープＴに記録する記録ユニット６３を有して構成されている。
【０１３９】
データ再生系５３は、磁気テープＴに磁気記録された記録データを再生し、後段において復号化処理するための信号形態（再生データ）に変換する再生ユニット６４と、この再生ユニット６４からの再生データに対してエラー訂正を行なうエラー訂正回路６５と、エラー訂正回路６５からのデータを復号化処理して符号化前のオーディオデータＤａに復元させる復号化処理回路６６とを有して構成されている。
【０１４０】
このデータ記録装置５１に取り付けられている図示しない磁気ヘッドは、先行再生ヘッドと後行記録ヘッドを有しており、先行再生ヘッドが例えばｎトラック目をトレースして該ｎトラック目のデータを再生しているとき、後行記録ヘッドは例えばｎ−２トラック目をトレースして該ｎ−２トラック目に前段から送出される符号化データを記録する。ここで、磁気テープＴに記録される１トラックは１ビデオ・フレームに対応しており、先行再生ヘッドがｎビデオ・フレームの開始点にある場合、後行記録ヘッドはｎ−２ビデオ・フレームの開始点に位置することになる。
【０１４１】
また、このデータ記録装置５１は、符号化処理回路６１とエラーコード付加回路６２の間に符号化処理回路６１から出力される符号化データｄａとデータ再生系５３におけるエラー訂正回路６５から出力されるエラー訂正済みのデータｄａｐとをスイッチング制御回路６７からの制御信号Ｓｓｗに基づいて選択的に切り換えるスイッチング回路６８が接続され、このスイッチング回路６８と上記エラー訂正回路６５の間に再生タイミングと記録タイミングとを合わせるための遅延回路６９が接続され、更に上記エラー訂正回路６５とコンピュータ５４との間にエラー訂正回路６５から出力されるデータからタイムコードＣｔｐを抽出するタイムコード抽出回路７０が接続されている。
【０１４２】
上記スイッチング制御回路６７は、コンピュータ５４からの第１のスイッチング指示信号Ｓ８の入力に基づいて例えば高レベルのスイッチング制御信号Ｓｓｗを出力し、コンピュータ５４からの第２のスイッチング指示信号Ｓ１０の入力に基づいて低レベルのスイッチング制御信号Ｓｓｗを出力する。
【０１４３】
スイッチング回路６８は、例えばＦＥＴを主体としたトランジスタ回路にて構成され、上記スイッチング制御回路６７からの高レベルのスイッチング制御信号Ｓｓｗの入力に基づいて、後段のエラーコード付加回路６２に供給すべきデータを符号化処理回路６１からの符号化データｄａに切換え、上記スイッチング制御回路６７からの低レベルのスイッチング制御信号Ｓｓｗの入力に基づいて、後段のエラーコード付加回路６２に供給すべきデータをデータ再生系５３におけるエラー訂正回路６５からのエラー訂正済みデータｄａｐに切換えるというスイッチング動作を行なう。
【０１４４】
上記遅延回路６９での遅延時間は、先行再生ヘッドがトレースするトラックが後行記録ヘッドがトレースするトラックよりも２トラック分先行しているため、先行再生ヘッドを通じて再生されたデータを再び磁気テープＴの同じトラックに後行記録ヘッドを通じて記録する場合に必要な遅延時間に設定されている。
【０１４５】
従って、図８の例で示すと、まず、データ記録系に戻される遅延回路からのエラー訂正済みのデータは、データ再生系からの再生データよりも２ビデオ・フレーム分位相が遅れたデータとされているため（これは後行記録ヘッドのトレース位置が先行再生ヘッドのトレース位置よりも２ビデオ・フレーム分遅れた位置とされているためである。）、データ再生系からのタイムコード抽出回路からのタイムコードがＩＮ点を示すタイムコードＣｔ（ｊ）である時点に、データ記録系においては、タイムコードＣｔ（ｊ−２）の時点におけるエラー訂正済みのデータが戻されることになる。
【０１４６】
符号化処理回路６１は、図６に示すように、上記図１で示す構成とほぼ同じ構成を有し、外部から入力されるオーディオデータＤａをコンピュータ５４による制御によってオーディオ・フレーム単位にＭＰＥＧ／ａｕｄｉｏのアルゴリズムに従って符号化するエンコーダ８１と、オーディオ・サンプルの周波数（サンプリング周波数）Ｆｓに準じた基準クロックＰｃを発生する基準クロック発生器８２と、上記コンピュータ５４による制御と基準クロックＰｃの入力等に基づいてオーディオ・フレームの開始点を示すオーディオ・フレーム・パルスＰａｕを出力するタイミング発生回路８３と、上記エンコーダ８１から出力される符号化データｄａにタイムコードＣｔを付加するタイムコード付加回路８４を有して構成されている。
【０１４７】
一方、コンピュータ５４は、その内部に符号化処理回路６１内のエンコーダ８１を制御するための手段やタイミング発生回路８３を制御するための手段（タイミング制御手段９１）等がハードウェアとしてあるいはソフトウェアとして組み込まれている。
【０１４８】
上記タイミング制御手段９１は、例えば図６に示すように、起動信号出力手段９２，ＩＮ点位相差読出し要求手段９３，ＩＮ点位相差格納手段９４，ＯＵＴ点位相差読出し要求手段９５，ＯＵＴ点位相差格納手段９６，編集開始信号出力手段９７，ＩＮ点タイムコード比較手段９８，ＩＮ点位相差受取り要求手段９９，第１のスイッチング指示手段１００，ＯＵＴ点タイムコード比較手段１０１，ＯＵＴ点位相差受取り要求手段１０２及び第２のスイッチング指示手段１０３を有して構成されている。
【０１４９】
上記起動信号出力手段９２は、外部からオーディオデータＤａと共に送出されたタイムコードＣｔが示す時間が、設定された開始時間を示す場合に符号化処理回路６１のタイミング発生回路８３に起動信号Ｓ１を出力する機能を有する。開始時間は、例えば操作者がキー入力手段を操作することによって入力されるものであり、この時間データはデータＲＡＭの所定領域（開始時間格納領域Ｚ１１）に格納される。
【０１５０】
上記ＩＮ点位相差読出し要求手段９３は、キー入力手段からのインサート記録の開始を示すキー入力割込み信号Ｓ２の入力があった場合に、現在、外部から供給されているタイムコードＣｔをデータＲＡＭの所定領域（ＩＮ点時間格納領域Ｚ１２）に格納すると同時に、符号化処理回路６１のタイミング発生回路８３にＩＮ点位相差読出し要求信号Ｓ３を出力する機能を有する。
【０１５１】
上記ＩＮ点位相差格納手段９４は、上記ＩＮ点位相差読出し要求手段９３からのＩＮ点位相差読出し要求信号Ｓ２の入力に基づいて符号化処理回路６１のタイミング発生回路８３から出力される計数値をＩＮ点位相差値Ｄｐ１としてデータＲＡＭの所定領域（ＩＮ点位相差格納領域Ｚ１３）に格納する機能を有する。
【０１５２】
上記ＯＵＴ点位相差読出し要求手段９５は、キー入力手段からのインサート記録の終了を示すキー入力割込み信号Ｓ４の入力があった場合に、現在、外部から供給されているタイムコードＣｔをデータＲＡＭの所定領域（ＯＵＴ点時間格納領域Ｚ１４）に格納すると同時に、符号化処理回路６１のタイミング発生回路８３にＯＵＴ点位相差読出し要求信号Ｓ５を出力する機能を有する。
【０１５３】
上記ＯＵＴ点位相差格納手段９６は、上記ＯＵＴ点位相差読出し要求手段９５からのＯＵＴ点位相差読出し要求信号Ｓ５の入力に基づいて符号化処理回路６１のタイミング発生回路８３から出力される計数値をＯＵＴ点位相差値Ｄｐ２としてデータＲＡＭの所定領域（ＯＵＴ点位相差格納領域Ｚ１５）に格納する機能を有する。
【０１５４】
上記編集開始信号出力手段９７は、タイムコード抽出回路７０を通じて入力されたタイムコードＣｔｐが示す時間が、設定された開始時間を示す場合に符号化処理回路６１のタイミング発生回路８３に編集開始信号Ｓ６を出力する機能を有する。この編集開始信号Ｓ６の信号ラインは、上記起動信号出力手段９２から出力される起動信号Ｓ１の信号ラインと接点ａにて結線されており、上記起動信号Ｓ１と等価な信号である。
【０１５５】
上記ＩＮ点タイムコード比較手段９８は、タイムコード抽出回路７０から送出されるタイムコードＣｔｐとデータＲＡＭのＩＮ点時間格納領域Ｚ１２に格納されているタイムコード＋２ビデオ・フレーム分の値（即ち、ＩＮ点のタイムコード）とを比較し、その比較結果を後段のＩＮ点位相差受取り要求手段９９に出力する機能を有する。
【０１５６】
ＩＮ点位相差受取り要求手段９９は、上記ＩＮ点タイムコード比較手段９８からの比較結果が一致を示す場合に、符号化処理回路６１のタイミング発生回路８３にＩＮ点位相差受取り要求信号Ｓ７を出力し、続いて上記データＲＡＭのＩＮ点位相差格納領域Ｚ１３に格納されているＩＮ点位相差値Ｄｐ１を上記タイミング発生回路８３に出力する機能を有する。
【０１５７】
タイミング発生回路８３は、上記ＩＮ点位相差受取り要求手段９９からのＩＮ点位相差受取り要求信号Ｓ７の入力に基づいて例えばデータ入力のためのゲートを開き、続いて入力されるＩＮ点位相差値Ｄｐ１を受け取って、該ＩＮ点位相差値Ｄｐ１から計数を開始する。
【０１５８】
第１のスイッチング指示手段は、上記ＩＮ点位相差受取り要求手段９９から出力される位相差受取り要求信号Ｓ７の入力に基づいて、タイミング発生回路８３から出力されるオーディオ・フレーム・パルスＰａｕを計数して、予め設定されている所定の計数値となった段階で符号化処理回路６１のスイッチング制御回路６７に第１のスイッチング指示信号Ｓ８を出力する。
【０１５９】
上記所定の計数値は、本実施の形態においては例えば「６」とされ、該計数値は例えばコンピュータ５４に割り付けられているレジスタＲ１１に格納されている。従って、図８の例で示すと、ＩＮ点位相差受取り要求手段９９からＩＮ点位相差受取り要求信号Ｓ７が出力された時点はちょうどＩＮ点（タイムコードＣｔ（ｊ）の時点）であって、データ記録系５２においては、その２ビデオ・フレーム分遅れた時点であるため、該データ記録系５２においてＩＮ点直後のオーディオ・フレームが現出する時点は、上記ＩＮ点位相差受取り要求信号Ｓ７の出力時点から６オーディオ・フレーム経過時点である。
【０１６０】
そのため、第１のスイッチング指示手段１００において、データ再生系５３からのＩＮ点からオーディオ・フレーム・パルスＰａｕを６個計数した段階で第１のスイッチング指示信号Ｓ８を出力することによって、遅延回路６９からのエラー訂正済みデータｄａｐのうち、ＩＮ点が含まれるオーディオ・フレーム（Ｎ−１）の次のオーディオ・フレーム（Ｎ）の開始時点でスイッチング回路６８による切換え動作が行なわれ、後段のエラーコード付加回路６２に供給されるデータが上記エラー訂正済みデータｄａｐから符号化処理回路６１からの符号化データｄａに切り換えられることになる。図８の例では、エラー訂正済みデータｄａｐのオーディオ・フレーム（Ｎ−１）の次に符号化処理回路６１からのオーディオ・フレーム（ｎ＋１）以降の符号化データｄａが連続してつながることになる。
【０１６１】
上記ＯＵＴ点タイムコード比較手段１０１は、タイムコード抽出回路７０から送出されるタイムコードＣｔｐとデータＲＡＭのＯＵＴ点時間格納領域Ｚ１４に格納されているタイムコード＋２ビデオ・フレーム分の値とを比較し、その比較結果を後段のＯＵＴ点位相差受取り要求手段１０２に出力する機能を有する。
【０１６２】
ＯＵＴ点位相差受取り要求手段１０２は、上記ＯＵＴ点タイムコード比較手段１０１からの比較結果が一致を示す場合に、符号化処理回路６１のタイミング発生回路８３にＯＵＴ点位相差受取り要求信号Ｓ９を出力し、続いて上記データＲＡＭのＯＵＴ点位相差格納領域Ｚ１５に格納されているＯＵＴ点位相差値Ｄｐ２を上記タイミング発生回路８３に出力する機能を有する。
【０１６３】
タイミング発生回路８３は、上記ＯＵＴ点位相差受取り要求手段１０２からのＯＵＴ点位相差受取り要求信号Ｓ９の入力に基づいて例えばデータ入力のためのゲートを開き、続いて入力されるＯＵＴ点位相差値Ｄｐ２を受け取って、該ＯＵＴ点位相差値Ｄｐ２から計数を開始する。
【０１６４】
第２のスイッチング指示手段１０３は、上記ＯＵＴ点位相差読出し要求手段１０２から出力される位相差読出し要求信号Ｓ９の入力に基づいて、タイミング発生回路８３から出力されるオーディオ・フレーム・パルスＰａｕを計数して、予め設定されている所定の計数値となった段階で符号化処理回路６１のスイッチング制御回路６７に第２のスイッチング指示信号Ｓ１０を出力する。
【０１６５】
上記所定の計数値は、本実施の形態においては例えば「６」とされ、該計数値は例えばコンピュータ５４に割り付けられているレジスタＲ１２に格納されている。従って、図９の例で示すと、ＯＵＴ点位相差受取り要求手段１０２からＯＵＴ点位相差受取り要求信号Ｓ９が出力された時点はちょうどＯＵＴ点（タイムコードＣｔ（ｋ）の時点）であって、データ記録系５２においては、その２ビデオ・フレーム分遅れた時点であるため、該データ記録系５２においてＯＵＴ点直後のオーディオ・フレームが現出する時点は、上記ＯＵＴ点位相差受取り要求信号Ｓ９の出力時点から６オーディオ・フレーム経過時点である。
【０１６６】
そのため、第２のスイッチング指示手段１０３において、データ再生系５３からのＯＵＴ点からオーディオ・フレーム・パルスを６個計数した段階で第２のスイッチング指示信号Ｓ１０を出力することによって、符号化処理回路６１からの符号化データｄａのうち、ＯＵＴ点が含まれるオーディオ・フレーム（ｍ）の次のオーディオ・フレーム（ｍ＋１）の開始時点でスイッチング回路６８による切換え動作が行なわれ、後段のエラーコード付加回路６２に供給されるデータが上記符号化データｄａから遅延回路６９からのエラー訂正済みのデータｄａｐに切り換えられることになる。図９の例では、符号化データｄａのオーディオ・フレーム（ｍ）の次に遅延回路６９からのオーディオ・フレーム（Ｍ＋１）以降のエラー訂正済みデータｄａｐが連続してつながることになる。
【０１６７】
なお、各タイムコード比較手段９８及び１０１にてタイムコード抽出回路７０とデータＲＡＭに格納されているタイムコード＋２ビデオ・フレーム分の値とを比較するようにしたのは、先行再生ヘッドが後行記録ヘッドよりも２ビデオ・フレーム分先行して再生を行なっているためであり、このように２ビデオ・フレーム分遅延させて記録を開始することにより、先行再生ヘッドを通じて検出されたＩＮ点部分から外部からのオーディオデータＤａの符号化データｄａにおけるエラーコード付加後のデータを記録することが可能となり、また、先行再生ヘッドを通じて検出されたＯＵＴ点部分から遅延回路６９からのエラー訂正済みのデータｄａｐにおけるエラーコード付加後のデータを記録することが可能となる。
【０１６８】
ここで、タイミング発生回路８３として例えば図４で示す回路構成を採用する場合、起動信号出力手段９２からの起動信号Ｓ１が第１のカウンタ３１に起動信号Ｓａとして入力されるように配線接続され、上記ＩＮ点位相差読出し要求手段９３から出力されるＩＮ点位相差読出し要求信号Ｓ３と上記ＯＵＴ点位相差読出し要求手段９５から出力されるＯＵＴ点位相差読出し要求信号Ｓ５とが信号Ｓｂとして第１のカウンタ３１に入力されるように配線接続される。
【０１６９】
更に、第１のカウンタ３１から出力される位相差値ＤｐがＩＮ点位相差格納手段９４及びＯＵＴ点位相差格納手段９５にそれぞれ供給されるように配線接続され、上記ＩＮ点位相差受取り要求手段９９から出力されるＩＮ点位相差受取り要求信号Ｓ７と上記ＯＵＴ点位相差受取り要求手段１０２から出力されるＯＵＴ点位相差受取り要求信号Ｓ９とが信号Ｓｄとして第２のカウンタ３２に入力されるように配線接続される。
【０１７０】
なお、ＩＮ点位相差格納手段９４は、ＩＮ点位相差読出し要求手段９３から出力されるＩＮ点位相差読出し要求信号Ｓ３が出力された段階でデータ入力の割込みが許可され、第１のカウンタ３１からの位相差値Ｄｐの入力があった時点でその後のデータ入力の割込みを禁止するように構成されている。この構成については、ＯＵＴ点位相差格納手段９６においても同様である。
【０１７１】
次に、上記コンピュータ５４におけるタイミング制御手段９１とタイミング発生回路８３による処理動作、特に外部（例えばデジタルＶＴＲ）から供給されるオーディオデータをインサート記録開始のキー入力及びインサート記録終了のキー入力を行いながら一旦磁気テープに記録し、その後、磁気テープを再生しながらＩＮ点からＯＵＴ点の間に外部から供給される新たなオーディオデータを記録するインサート編集の処理動作を図７〜図９のタイミングチャートも参照しながら説明する。
【０１７２】
このインサート編集は、実際の編集処理に先立って、まず、ＩＮ点及びＯＵＴ点の付与処理が行なわれる。
【０１７３】
このＩＮ点及びＯＵＴ点の付与処理は、次のようにして行なわれる。まず、コンピュータ５４に接続されているキー入力手段を通じて開始時間と終了時間が入力され、特に開始時間はデータＲＡＭの開始時間格納領域Ｚ１１に格納される。この時点でデジタルＶＴＲに対してスタンバイ要求信号が出力され、デジタルＶＴＲはコンピュータからのスタンバイ要求信号の入力に基づいて装着されている磁気テープに対する再生動作を開始する。
【０１７４】
このデジタルＶＴＲによる磁気テープへの再生動作が開始されると、このデジタルＶＴＲからオーディオデータＤａが出力され、更にビデオ・フレームに同期したタイムコードＣｔとビデオ・フレーム・パルスＰｖｆがそれぞれ出力される。
【０１７５】
デジタルＶＴＲから出力されるタイムコードＣｔは、コンピュータ５４に組み込まれているタイミング制御手段９１の起動信号出力手段９２，ＩＮ点位相差読出し要求手段９３及びＯＵＴ点位相差読出し要求手段９５にそれぞれ供給される。このとき、スイッチング回路６８は初期状態とされ、これにより、符号化処理回路６１からの符号化データｄａが後段のエラーコード付加回路６２に供給される。
【０１７６】
上記起動信号出力手段９２は、供給されるタイムコードＣｔが示す時間が開始時間格納領域に格納されている開始時間となった段階で起動信号Ｓ１を符号化処理回路６１のタイミング発生回路８３に出力する。
【０１７７】
タイミング発生回路８３は、コンピュータ５４からの上記起動信号Ｓ１の入力に基づいて、基準クロック発生器８２からの基準クロックＰｃの計数を開始する。このタイミング発生回路８３は、その計数範囲が「１」から「１１５２」までとなっており、「１１５２」の次に「１」に戻るようにその計数が行なわれる。そして、計数値が「１」となるたびに１つのオーディオ・フレーム・パルスＰａｕを出力する。従って、このタイミング発生回路８３からは、起動信号Ｓ１が入力された時点において１つのオーディオ・フレーム・パルスＰａｕが出力され、その後、基準クロックＰｃを１１５２個計数するたびに１つのオーディオ・フレーム・パルスＰａｕが出力されることになる。
【０１７８】
上述のようにしてタイミング発生回路８３から順次オーディオ・フレーム・パルスＰａｕが出力されてエンコーダ８１に供給されることになる。エンコーダ８１は、タイミング発生回路８３から出力されるオーディオ・フレーム・パルスＰａｕの入力時点をオーディオデータＤａに対する符号化開始点として符号化を開始する。即ち、エンコーダ８１は、デジタルＶＴＲから順次出力されるオーディオデータＤａを１１５２サンプル単位に分割して符号化を行う。
【０１７９】
符号化データｄａは、後段のタイムコード付加回路８４にてタイムコードＣｔが付加され、更にエラーコード付加回路６２にてエラー訂正のためのエラーコードが付加されて最終的に記録ユニット６３及び後行記録ヘッドを通じて磁気テープＴに記録される。
【０１８０】
そして、操作者がキー入力手段を通じてインサート記録の開始を示すキー入力を行なうと、このキー入力による割込み信号Ｓ２がＩＮ点位相差読出し要求手段９３に入力される。このＩＮ点位相差読出し要求手段９３は、上記割込み信号Ｓ２の入力に基づいて、符号化処理回路６１のタイミング発生回路８３にＩＮ点位相差読出し要求信号Ｓ３を出力すると同時に、現在のタイムコードＣｔをデータＲＡＭのＩＮ点時間格納領域Ｚ１２に格納する。
【０１８１】
タイミング発生回路８３は、コンピュータ５４からの上記ＩＮ点位相差読出し要求信号Ｓ３の入力に基づいて、現在の計数値をＩＮ点位相差値Ｄｐ１（図７Ａ参照）としてコンピュータ５４に出力する。このタイミング発生回路８３から送出されたＩＮ点位相差値Ｄｐ１は、タイミング制御手段９１におけるＩＮ点位相差格納手段９４を通じてデータＲＡＭのＩＮ点位相差格納領域Ｚ１３に格納される。
【０１８２】
その後、操作者がキー入力手段を通じてインサート記録の終了を示すキー入力を行なうと、このキー入力による割込み信号Ｓ４がＯＵＴ点位相差読出し要求手段９５に入力される。このＯＵＴ点位相差読出し要求手段９５は、上記割込み信号Ｓ４の入力に基づいて、符号化処理回路６１のタイミング発生回路８３にＯＵＴ点位相差読出し要求信号Ｓ５を出力すると同時に、現在のタイムコードＣｔをデータＲＡＭのＯＵＴ点時間格納領域Ｚ１４に格納する。
【０１８３】
タイミング発生回路８３は、コンピュータ５４からの上記ＯＵＴ点位相差読出し要求信号Ｓ５の入力に基づいて、現在の計数値をＯＵＴ点位相差値Ｄｐ２（図７Ｂ参照）としてコンピュータ５４に出力する。このタイミング発生回路８３から送出されたＯＵＴ点位相差値Ｄｐ２は、タイミング制御手段９１におけるＯＵＴ点位相差格納手段９６を通じてデータＲＡＭのＯＵＴ点位相差格納領域Ｚ１５に格納される。
【０１８４】
そして、デジタルＶＴＲから送出されるすべてのオーディオデータＤａが符号化処理回路６１を通じて符号化処理されて符号化データｄａとして磁気テープＴに記録された段階で、上記ＩＮ点及びＯＵＴ点の付与処理が終了する。
【０１８５】
次に、実際のインサート編集が行なわれるが、この編集処理は、磁気テープＴに対する先行再生ヘッドによる再生動作が開始された段階で行なわれる。この再生開始と共に、コンピュータ５４からスイッチング回路６８に制御信号が出力され、これによってスイッチング回路６８は、エラーコード付加回路６２に入力すべきデータをデータ再生系５３におけるエラー訂正回路６５からのエラー訂正済みのデータｄａｐに切り換える。
【０１８６】
上記再生動作が行なわれると、ＩＮ点が到来するまでの間、エラー訂正回路６５からのエラー訂正済みデータｄａｐが遅延回路６９にて所定時間遅延されて、スイッチング回路６８を介してエラーコード付加回路６２に入力されて再びエラーコードが付加されることになる。エラーコード付加回路６２から出力されるデータは後段の記録ユニット６３及び後行記録ヘッドを通じて磁気テープＴに記録される。この場合、遅延回路６９にて所定時間遅延されているため、再度エラーコードを付加された再生データは該再生データが記録されていたトラックに再記録されることとなる。
【０１８７】
一方、タイムコード抽出回路７０は、エラー訂正回路６５からのエラー訂正済みデータｄａｐからタイムコードＣｔｐを抽出してコンピュータ５４に供給する。このタイムコード抽出回路７０からのタイムコードＣｔｐは、コンピュータ５４における編集開始信号出力手段９７，ＩＮ点タイムコード比較手段９８及びＯＵＴ点タイムコード比較手段１０１にそれぞれに供給される。
【０１８８】
上記編集開始信号出力手段９７は、供給されるタイムコード抽出回路７０からのタイムコードＣｔｐが示す時間が開始時間格納領域Ｚ１１に格納されている開始時間となった段階で編集開始信号Ｓ６を符号化処理回路６１のタイミング発生回路８３に出力する。
【０１８９】
タイミング発生回路８３は、コンピュータ５４からの上記編集開始信号Ｓ６の入力に基づいて、基準クロック発生器８２からの基準クロックＰｃの計数を開始し、計数値が「１」となるたびに１つのオーディオ・フレーム・パルスＰａｕを出力する。
【０１９０】
上記のようにして、データ再生系５３からのエラー訂正済みデータｄａｐが順次エラーコードを付加されて磁気テープＴに記録されている段階において、タイムコード抽出回路７０からのタイムコードＣｔｐがＩＮ点を示すタイムコード（図８の例ではタイムコードＣｔ（ｊ））となった時点で、ＩＮ点タイムコード比較手段９８から一致を示す比較結果が出力されるため、ＩＮ点位相差受取り要求手段９９は、当該時点においてＩＮ点位相差受取り要求信号Ｓ７を符号化処理回路６１のタイミング発生回路８３に出力し、次いでデータＲＡＭのＩＮ点位相差格納領域Ｚ１３に格納されているＩＮ点位相差値Ｄｐ１をタイミング発生回路８３に出力する。
【０１９１】
この場合、上記ＩＮ点位相差値Ｄｐ１は、ＩＮ点付与処理におけるインサート記録開始時点の直前のオーディオ・フレーム（オーディオ・フレーム（Ｎ−６））の開始時点から当該インサート記録開始時点におけるビデオ・フレーム（ｊ−２）の開始時点までの計数値であることから、タイミング発生回路８３にて上記ＩＮ点位相差Ｄｐ１から基準クロックＰｃの計数を開始することにより、その計数開始時点から計数値が「１」に戻るまでの時間幅は、再生データ（正確には遅延回路６９からのエラー訂正済みのデータｄａｐ）において、ビデオ・フレーム（ｊ−２）の開始時点からオーディオ・フレーム（Ｎ−５）に切り換わる時点までの時間幅と同じである。
【０１９２】
つまり、符号化処理回路６１における新たなオーディオデータＤａに対する符号化処理について、上記再生データのビデオ・フレーム（ｊ−２）の開始時点からオーディオ・フレーム（Ｎ−５）の開始時点までの位相差が再現されたことなる。
【０１９３】
その結果、外部から入力される新たなオーディオデータＤａに対する符号化処理において、ビデオ・フレーム（Ｊ−２）以後に現出するオーディオ・フレーム・パルスＰａｕの出力タイミングは、上記再生データに対する符号化処理に使用されたオーディオ・フレーム・パルスＰａｕの出力タイミングに同期したものとなる。
【０１９４】
一方、上記ＩＮ点位相差受取り要求信号Ｓ７は第１のスイッチング指示手段１００にも供給され、これによって、該第１のスイッチング指示手段１００において、タイミング発生回路８３からのオーディオ・フレーム・パルスＰａｕの計数が開始される。そして、その計数値がレジスタＲ１１に格納されている所定の計数値となった時点で当該第１のスイッチング指示手段１００から第１のスイッチング指示信号Ｓ８が出力されることとなる。図８の例ではオーディオ・フレーム（Ｎ）についてのオーディオ・フレーム・パルスＰａｕが供給された時点において上記第１のスイッチング指示信号Ｓ８がスイッチング制御回路６７に出力されることになる。
【０１９５】
スイッチング制御回路６７は、上記第１のスイッチング指示信号Ｓ８の入力に基づいて高レベルのスイッチング制御信号Ｓｓｗをスイッチング回路６８に出力する。これによって、スイッチング回路６８は、後段のエラーコード付加回路６２に入力すべきデータを遅延回路６９からのエラー訂正済みデータｄａｐから符号化処理回路６１から出力される新たな符号化データｄａに切り換える。
【０１９６】
これにより、ＩＮ点直後のオーディオ・フレーム（図８の例ではビデオ・フレーム（ｊ）直後のオーディオ・フレーム（Ｎ））から、外部からの新たな符号化データのうち、オーディオ・フレーム（ｎ＋１）以降の符号化データが連続してつながることになり、ＩＮ点でのデータ編集（インサート編集）が確実に行なわれることになる。
【０１９７】
その後はＯＵＴ点が到来するまで、符号化処理回路６１から出力される外部からのオーディオデータＤａの符号化データｄａが記録ユニット６３及び後行記録ヘッドを通じて磁気テープＴに記録されることになる。
【０１９８】
上記のようにして、符号化処理回路６１からの新たな符号化データｄａが順次エラーコードを付加されて磁気テープＴに記録されている段階において、タイムコード抽出回路７０からのタイムコードＣｔｐがＯＵＴ点を示すタイムコード（図９の例ではタイムコードＣｔ（ｋ））となった時点で、ＯＵＴ点タイムコード比較手段１０１から一致を示す比較結果が出力されるため、ＯＵＴ点位相差受取り要求手段１０２は、当該時点においてＯＵＴ点位相差受取り要求信号Ｓ９を符号化処理回路６１のタイミング発生回路８３に出力し、次いでデータＲＡＭのＯＵＴ点位相差格納領域Ｚ１５に格納されているＯＵＴ点位相差値Ｄｐ２をタイミング発生回路８３に出力する。
【０１９９】
この場合、上記ＯＵＴ点位相差値Ｄｐ２は、ＯＵＴ点付与処理におけるインサート記録終了時点の直前のオーディオ・フレーム（オーディオ・フレーム（Ｍ−５））の開始時点から当該インサート記録終了時点におけるビデオ・フレーム（ｋ−２）の開始時点までの計数値であることから、タイミング発生回路８３にて上記ＯＵＴ点位相差Ｄｐ２から基準クロックＰｃの計数を開始することにより、その計数開始時点から計数値が「１」に戻るまでの時間幅は、再生データ（正確には遅延回路６９からのエラー訂正済みのデータｄａｐ）において、ビデオ・フレーム（ｋ−２）の開始時点からオーディオ・フレーム（Ｍ−４）に切り換わる時点までの時間幅と同じである。
【０２００】
つまり、エラー訂正回路からの再生データ（エラー訂正済みのデータ）について、該再生データのビデオ・フレーム（ｍ）の開始時点からオーディオ・フレーム（Ｍ）の開始時点までの位相差が再現されたことなる。
【０２０１】
その結果、外部から入力される新たなオーディオデータＤａに対する符号化処理において、ビデオ・フレーム（ｋ−２）以後に現出するオーディオ・フレーム・パルスＰａｕの出力タイミングは、上記再生データに対する符号化処理に使用されたオーディオ・フレーム・パルスＰａｕの出力タイミングに同期したものとなる。
【０２０２】
一方、上記ＯＵＴ点位相差受取り要求信号Ｓ９は第２のスイッチング指示手段１０３にも供給され、これによって、該第２のスイッチング指示手段１０３において、タイミング発生回路８３からのオーディオ・フレーム・パルスＰａｕの計数が開始される。そして、その計数値がレジスタＲ１２に格納されている所定の計数値となった時点で当該第２のスイッチング指示手段１０３から第２のスイッチング指示信号Ｓ１０が出力されることとなる。図９の例ではオーディオ・フレーム（Ｍ＋１）についてのオーディオ・フレーム・パルスＰａｕが供給された時点において上記第２のスイッチング指示信号Ｓ１０がスイッチング制御回路６７に出力されることになる。
【０２０３】
スイッチング制御回路６７は、上記第２のスイッチング指示信号Ｓ１０の入力に基づいて低レベルのスイッチング制御信号Ｓｓｗをスイッチング回路６８に出力する。これによって、スイッチング回路６８は、後段のエラーコード付加回路６２に入力すべきデータを符号化処理回路６１からの符号化データｄａから遅延回路６９からのエラー訂正済みデータｄａｐに切り換える。
【０２０４】
これにより、ＯＵＴ点直後のオーディオ・フレーム（図９の例ではビデオ・フレーム（ｋ）直後のオーディオ・フレーム（Ｍ＋１））から、遅延回路からのエラー訂正済みのデータｄａｐが連続してつながることになり、ＯＵＴ点においてインサート編集が確実に終了することになる。
【０２０５】
なお、上記実施の形態に係るデータ記録装置においては、磁気テープＴに対して符号化データｄａを記録再生する記録装置（デジタルＶＴＲ等）に適用した例を示したが、その他、上記磁気テープＴに代わりに円盤状の記録媒体である例えば記録可能な光磁気ディスクに対して符号化データを記録再生する場合にも適用させることができる。
【０２０６】
この場合、磁界変調方式及び光変調方式のどちらを使用してもよく、磁界変調方式を採用した場合は、上記記録ユニット６３における記録用磁気ヘッドとして、符号化データｄａの論理値に応じた外部磁界を発生する磁界発生手段（励磁コイル）と、光磁気ディスクの記録層（垂直磁化膜）をキュリー点以上に熱するレーザ光照射手段（光学ピックアップ）を用い、再生ユニットにおける再生用磁気ヘッドとして、上記光学ピックアップを兼用させることで実現させることができる。
【０２０７】
また、光変調方式を採用した場合においては、上記記録用磁気ヘッドの代わりに一定の外部磁界を発生する励磁コイルと、符号化データｄａの論理値に応じて光磁気ディスクの記録層（垂直磁化膜）を選択的にキュリー点に以上に熱するレーザ光照射手段（光学ピックアップ）を用い、上記再生用磁気ヘッドとして、上記光学ピックアップを兼用させることで実現させることができる。
【０２０８】
【発明の効果】
上述のように、本発明に係るデータ処理装置及びデータ処理方法によれば、複数の素材が順次切り換えられながらリファレンスタイミングと共に供給される情報データを所定の処理単位に分割して符号化処理するデータ処理装置及びデータ処理方法において、上記素材の切換え点より前の段階における所定のリファレンスタイミングと上記処理単位の開始点との位相差を保持し、切換え後の素材からの情報データに対する処理単位毎の符号化処理の開始点を上記位相差に基づいて作成するようにしたので、複数の素材が順次切り換えられながらリファレンスタイミングと共に供給される情報データを所定の処理単位に分割して符号化処理する場合において、素材の切換え点において符号化のための処理単位の連続性を保つことができ、素材の分割を無音部等に拘らず任意の場所で行なうようにすることができる。
【０２０９】
また、本発明に係るデータ記録装置及びデータ記録方法によれば、リファレンスタイミングと共に入力される基準情報データに別の情報データを挿入してなるデジタルデータを所定の処理単位に分割して符号化し、その符号化データを記録媒体に記録するデータ記録装置（又はデータ記録方法）において、上記リファレンスタイミングに同期し、かつ上記基準情報データに対する上記別の情報データの挿入開始を示す挿入開始点より前の段階における所定のリファレンスタイミングと上記処理単位の開始点との位相差を保持し、上記別の情報データの処理単位毎の符号化処理の開始点を上記位相差に基づいて作成し、符号化処理されるデータを上記挿入開始点後の上記符号化開始点において上記基準情報データから上記別の情報データに切り換えるようにしたので、リファレンスタイミングと共に入力される基準情報データに別の情報データを挿入してなるデジタルデータを所定の処理単位に分割して符号化し、その符号化データを記録媒体に記録する場合において、別の情報データの挿入点において符号化のための処理単位の連続性を保つことができ、基準情報データの符号化データと別の情報データの符号化データとを上記挿入点で連続的につなげて記録媒体に記録することできる。
【図面の簡単な説明】
【図１】本発明に係るデータ処理装置をＤＶＤ（デジタル・ビデオ・ディスク）に記録すべきデータを編集するためのオーサリングシステムの特にオーディオ符号化処理装置に適用した実施の形態例（以下、単に実施の形態に係る符号化処理装置と記す）の構成を示すブロック図である。
【図２】本実施の形態に係る符号化処理装置を制御するコンピュータに組み込まれるタイミング制御手段と符号化処理装置の構成を示すブロック図である。
【図３】タイミング制御手段と符号化処理装置の信号処理を示すタイミングチャートである。
【図４】符号化処理装置内に組み込まれるタイミング発生回路の具体的構成例を示すブロック図である。
【図５】本実施の形態に係るデータ記録装置をオーディオデータのインサート編集を行なうデータ記録装置に適用した実施の形態例（以下、単に実施の形態に係るデータ記録装置と記す）の構成を示すブロック図である。
【図６】本実施の形態に係るデータ記録装置を制御するコンピュータに組み込まれるタイミング制御手段と該データ記録装置に組み込まれる符号化処理回路の構成を示すブロック図である。
【図７】インサート編集に先立って行なわれるＩＮ点付与処理とＯＵＴ点付与処理の各信号処理を示すタイミングチャートである。
【図８】本実施の形態に係るデータ記録装置におけるインサート編集のＩＮ点での信号処理を示すタイミングチャートである。
【図９】本実施の形態に係るデータ記録装置におけるインサート編集のＯＵＴ点での信号処理を示すタイミングチャートである。
【図１０】オーディオデータに対して符号化した後のビットストリームの構成図である。
【図１１】ビデオデータとオーディオデータを同時に符号化処理するエンコーダを用いたＤＶＤの編集システム（オーサリングシステム）の構成図である。
【図１２】従来例の不都合点を示す説明図である。
【符号の説明】
１  符号化処理装置
２  デジタルＶＴＲ
３  コンピュータ
１１  エンコーダ
１２  基準クロック発生器
１３  タイミング発生回路
１４  ゲート回路
２１  タイミング制御手段
２２  起動信号出力手段
２３  位相差読出し要求手段
２４  位相差格納手段
２５  パルス供給停止手段
２６  タイムコード比較手段
２７  位相差受取り要求手段
２８  パルス供給開始手段
３１及び３２  第１及び第２のカウンタ
３３  禁止回路
３４  ウィンドウパルス生成回路
３５  ＯＲ回路
５１  データ記録装置
５２  データ記録系
５３  データ再生系
５４  コンピュータ
６１  符号化処理回路
６２  エラーコード付加回路
６３  記録ユニット
Ｔ  磁気テープ
６４  再生ユニット
６５  エラー訂正回路
６７  スイッチング制御回路
６８  スイッチング回路
６９  遅延回路
７０  タイムコード抽出回路
８１  エンコーダ
８２  基準クロック発生器
８３  タイミング発生回路
８４  タイムコード付加回路
９１  タイミング制御手段
９２  起動信号出力手段
９３  ＩＮ点位相差読出し要求手段
９４  ＩＮ点位相差格納手段
９５  ＯＵＴ点位相差読出し要求手段
９６  ＯＵＴ点位相差格納手段
９７  編集開始信号出力手段
９８  ＩＮ点タイムコード比較手段
９９  ＩＮ点位相差受取り要求手段
１００  第１のスイッチング指示手段
１０１  ＯＵＴ点タイムコード比較手段
１０２  ＯＵＴ点位相差受取り要求手段
１０３  第２のスイッチング指示手段
【図１】
0003646382.tif 000002
【図２】
0003646382.tif 000003
【図３】
0003646382.tif 000004
【図４】
0003646382.tif 000005
【図５】
0003646382.tif 000006
【図６】
0003646382.tif 000007
【図７】
0003646382.tif 000008
【図８】
0003646382.tif 000009
【図９】
0003646382.tif 000010
【図１０】
0003646382.tif 000011
【図１１】
0003646382.tif 000012
【図１２】
0003646382.tif 000013